(57)【要約】  ロジックが、アクナリッジメント（ＡＣＫ）ポリシーフィールドを有する新たなショートフレームフォーマットを規定し得る。ロジックは、新たなショートフレームフォーマット内のフレーム制御フィールドのサブフィールドとしてＡＣＫポリシーフィールドを含むように、新たなショートフレームフォーマットを規定し得る。ロジックは、新たなショートフレームフォーマットの導入の影響を最小化するよう、短縮・再規定されたタイプフィールドと新たなＡＣＫポリシーサブフィールドとをフレーム制御フィールド内に有する新たなショートフレームフォーマットを規定し得る。ロジックは、現行のショートフレームフォーマットに対して再規定されたフレーム制御フィールドを有するショートフレームフォーマットを実装し得る。ロジックは、ショートフレームフォーマットの有用性を高めるため、また、異なるベンダーからの異なる設計の装置との装置互換性を高めるため、例えばノーマルＡＣＫ、ブロックＡＣＫ、及びＡＣＫ無しなどの２つ以上のＡＣＫポリシーを含むようにＡＣＫポリシーサブフィールドを規定し得る。
2015528229.tif 000002
【特許請求の範囲】
【請求項１】
ショートＭＡＣフレームフォーマットを有するショートフレームを生成するロジックであり、前記ショートフレームは、
フレーム制御フィールドであり、
使用するアクナリッジメント（ＡＣＫ）ポリシーを少なくとも部分的に指し示すアクナリッジメントポリシーサブフィールド
を有するフレーム制御フィールド、
を有する、ロジック、
を有する装置。
【請求項２】
前記ＡＣＫポリシーは、ノーマルＡＣＫポリシー、ＡＣＫ無しポリシー、又はブロックＡＣＫポリシーのうちの１つ以上を有する、請求項１に記載の装置。
【請求項３】
前記ショートフレームは更に、アドレスフィールド、シーケンス制御フィールド、可変サイズのフレームボディ、及びフレームチェックシーケンス（ＦＣＳ）フィールドを有し、
アドレスフィールドは４つのアドレスフィールドを有し、前記４つのアドレスフィールドのうちの１つ以上は少なくとも２オクテットを有し、
シーケンス制御フィールドは２オクテットを有し、
フレームチェックシーケンス（ＦＣＳ）フィールドは４オクテットを有する、
請求項１に記載の装置。
【請求項４】
前記フレーム制御フィールドはタイプサブフィールドを有し、前記タイプサブフィールドと前記アクナリッジメントポリシーサブフィールドとの組み合わせに、少なくとも４ビットが割り当てられる、請求項１に記載の装置。
【請求項５】
前記フレーム制御フィールドは更に、
プロトコルバージョンサブフィールド、タイプサブフィールド、フロム分散システム（ＤＳ）サブフィールド、モアフラグメントサブフィールド、電力管理サブフィールド、モアデータサブフィールド、被保護フレームサブフィールド、サービス期間の終了サブフィールド、中継フレームサブフィールド、及びトラフィック識別子（ＴＩＤ）サブフィールド
のうちの１つ以上を有し、
前記プロトコルバージョンサブフィールドは２ビットを有し、
前記タイプサブフィールドは２ビットを有し、
前記フロム分散システム（ＤＳ）サブフィールドは１ビットを有し、
前記モアフラグメントサブフィールドは１ビットを有し、
前記電力管理サブフィールドは１ビットを有し、
前記モアデータサブフィールドは１ビットを有し、
前記被保護フレームサブフィールドは１ビットを有し、
前記サービス期間の終了サブフィールドは１ビットを有し、
前記中継フレームサブフィールドは１ビットを有し、
前記トラフィック識別子（ＴＩＤ）サブフィールドは２ビットを有する、
請求項１に記載の装置。
【請求項６】
前記アクナリッジメントポリシーサブフィールドは１ビットを有する、請求項１に記載の装置。
【請求項７】
前記アクナリッジメントポリシーサブフィールドは少なくとも１ビットを有する、請求項１に記載の装置。
【請求項８】
前記ショートフレームの先頭にプリアンブルを追加して、前記ショートフレームを送信のために提供する物理層ロジック、
を更に有する請求項１に記載の装置。
【請求項９】
前記物理層ロジックとアンテナアレイとに結合され、前記プリアンブルを先頭に追加された前記ショートフレームを１ＭＨｚチャンネル帯域幅を用いて送信する無線器、を更に有する請求項８に記載の装置。
【請求項１０】
前記ロジックに通信可能に結合された少なくとも１つのプロセッサと、
前記少なくとも１つのプロセッサに通信可能に結合されたディスプレイと、
前記少なくとも１つのプロセッサに通信可能に結合されたメモリと、
を更に有する請求項９に記載の装置。
【請求項１１】
命令を格納した少なくとも１つのコンピュータ読み取り可能媒体であり、前記命令は、プロセッサによって実行されるときに該プロセッサに、
ショートＭＡＣフレームフォーマットを有するショートフレームを生成させ、
前記ショートフレームは、
フレーム制御フィールドであり、
使用するアクナリッジメント（ＡＣＫ）ポリシーを少なくとも部分的に指し示すアクナリッジメントポリシーサブフィールド
を有するフレーム制御フィールド、
を有する、
少なくとも１つのコンピュータ読み取り可能媒体。
【請求項１２】
前記ＡＣＫポリシーは、ノーマルＡＣＫポリシー、ＡＣＫ無しポリシー、又はブロックＡＣＫポリシーのうちの１つ以上を有する、請求項１１に記載の少なくとも１つのコンピュータ読み取り可能媒体。
【請求項１３】
前記ショートフレームは更に、アドレスフィールド、シーケンス制御フィールド、可変サイズのフレームボディ、及びフレームチェックシーケンス（ＦＣＳ）フィールドを有し、
アドレスフィールドは４つのアドレスフィールドを有し、前記４つのアドレスフィールドのうちの１つ以上は少なくとも２オクテットを有し、
シーケンス制御フィールドは２オクテットを有し、
フレームチェックシーケンス（ＦＣＳ）フィールドは４オクテットを有する、
請求項１１に記載の少なくとも１つのコンピュータ読み取り可能媒体。
【請求項１４】
前記フレーム制御フィールドはタイプサブフィールドを有し、前記タイプサブフィールドと前記アクナリッジメントポリシーサブフィールドとの組み合わせに、少なくとも４ビットが割り当てられる、請求項１１に記載の少なくとも１つのコンピュータ読み取り可能媒体。
【請求項１５】
前記フレーム制御フィールドは更に、
プロトコルバージョンサブフィールド、タイプサブフィールド、フロム分散システム（ＤＳ）サブフィールド、モアフラグメントサブフィールド、電力管理サブフィールド、モアデータサブフィールド、被保護フレームサブフィールド、サービス期間の終了サブフィールド、中継フレームサブフィールド、及びトラフィック識別子（ＴＩＤ）サブフィールド
のうちの１つ以上を有し、
前記プロトコルバージョンサブフィールドは２ビットを有し、
前記タイプサブフィールドは２ビットを有し、
前記フロム分散システム（ＤＳ）サブフィールドは１ビットを有し、
前記モアフラグメントサブフィールドは１ビットを有し、
前記電力管理サブフィールドは１ビットを有し、
前記モアデータサブフィールドは１ビットを有し、
前記被保護フレームサブフィールドは１ビットを有し、
前記サービス期間の終了サブフィールドは１ビットを有し、
前記中継フレームサブフィールドは１ビットを有し、
前記トラフィック識別子（ＴＩＤ）サブフィールドは２ビットを有する、
請求項１１に記載の少なくとも１つのコンピュータ読み取り可能媒体。
【請求項１６】
前記アクナリッジメントポリシーサブフィールドは１ビットを有する、請求項１１に記載の少なくとも１つのコンピュータ読み取り可能媒体。
【請求項１７】
前記アクナリッジメントポリシーサブフィールドは少なくとも１ビットを有する、請求項１１に記載の少なくとも１つのコンピュータ読み取り可能媒体。
【請求項１８】
コンピュータによって実行される方法であって、
ショートＭＡＣフレームフォーマットを有するショートフレームを生成することを有し、
前記ショートフレームは、
フレーム制御フィールドであり、
使用するアクナリッジメント（ＡＣＫ）ポリシーを少なくとも部分的に指し示すアクナリッジメントポリシーサブフィールド
を有するフレーム制御フィールド、
を有する、
方法。
【請求項１９】
前記ＡＣＫポリシーは、ノーマルＡＣＫポリシー、ＡＣＫ無しポリシー、又はブロックＡＣＫポリシーのうちの１つ以上を有する、請求項１８に記載の方法。
【請求項２０】
前記ショートフレームは更に、アドレスフィールド、シーケンス制御フィールド、可変サイズのフレームボディ、及びフレームチェックシーケンス（ＦＣＳ）フィールドを有し、
アドレスフィールドは４つのアドレスフィールドを有し、前記４つのアドレスフィールドのうちの１つ以上は少なくとも２オクテットを有し、
シーケンス制御フィールドは２オクテットを有し、
フレームチェックシーケンス（ＦＣＳ）フィールドは４オクテットを有する、
請求項１８に記載の方法。
【請求項２１】
前記フレーム制御フィールドはタイプサブフィールドを有し、前記タイプサブフィールドと前記アクナリッジメントポリシーサブフィールドとの組み合わせに、少なくとも４ビットが割り当てられる、請求項１８に記載の方法。
【請求項２２】
前記フレーム制御フィールドは更に、
プロトコルバージョンサブフィールド、タイプサブフィールド、フロム分散システム（ＤＳ）サブフィールド、モアフラグメントサブフィールド、電力管理サブフィールド、モアデータサブフィールド、被保護フレームサブフィールド、サービス期間の終了サブフィールド、中継フレームサブフィールド、及びトラフィック識別子（ＴＩＤ）サブフィールド
のうちの１つ以上を有し、
前記プロトコルバージョンサブフィールドは２ビットを有し、
前記タイプサブフィールドは２ビットを有し、
前記フロム分散システム（ＤＳ）サブフィールドは１ビットを有し、
前記モアフラグメントサブフィールドは１ビットを有し、
前記電力管理サブフィールドは１ビットを有し、
前記モアデータサブフィールドは１ビットを有し、
前記被保護フレームサブフィールドは１ビットを有し、
前記サービス期間の終了サブフィールドは１ビットを有し、
前記中継フレームサブフィールドは１ビットを有し、
前記トラフィック識別子（ＴＩＤ）サブフィールドは２ビットを有する、
請求項１８に記載の方法。
【請求項２３】
前記アクナリッジメントポリシーサブフィールドは１ビットを有する、請求項１８に記載の方法。
【請求項２４】
前記アクナリッジメントポリシーサブフィールドは１つ以上のビットを有する、請求項１８に記載の方法。
【請求項２５】
受信したショートフレーム内のアクナリッジメント（ＡＣＫ）ポリシーを処理するロジックを有し、前記ショートフレームはショートＭＡＣフレームフォーマットを有し、前記ショートフレームはフレーム制御フィールドを有し、前記フレーム制御フィールドは、前記ＡＣＫポリシーを部分的に指し示す値を有するアクナリッジメントポリシーサブフィールドを有し、前記ＡＣＫポリシーは、ノーマルＡＣＫポリシー、ＡＣＫ無しポリシー、又はブロックＡＣＫポリシーのうちの１つ以上を有する、
装置。
【請求項２６】
前記ショートフレームは更に、アドレスフィールド、シーケンス制御フィールド、可変サイズのフレームボディ、及びフレームチェックシーケンス（ＦＣＳ）フィールドを有し、
アドレスフィールドは４つのアドレスフィールドを有し、前記４つのアドレスフィールドのうちの１つ以上は少なくとも２オクテットを有し、
シーケンス制御フィールドは２オクテットを有し、
フレームチェックシーケンス（ＦＣＳ）フィールドは４オクテットを有する、
請求項２５に記載の装置。
【請求項２７】
前記フレーム制御フィールドはタイプサブフィールドを有し、前記タイプサブフィールドと前記アクナリッジメントポリシーサブフィールドとの組み合わせに、少なくとも４ビットが割り当てられる、請求項２５に記載の装置。
【請求項２８】
前記フレーム制御フィールドは更に、
プロトコルバージョンサブフィールド、タイプサブフィールド、フロム分散システム（ＤＳ）サブフィールド、モアフラグメントサブフィールド、電力管理サブフィールド、モアデータサブフィールド、被保護フレームサブフィールド、サービス期間の終了サブフィールド、中継フレームサブフィールド、及びトラフィック識別子（ＴＩＤ）サブフィールド
のうちの１つ以上を有し、
前記プロトコルバージョンサブフィールドは２ビットを有し、
前記タイプサブフィールドは２ビットを有し、
前記フロム分散システム（ＤＳ）サブフィールドは１ビットを有し、
前記モアフラグメントサブフィールドは１ビットを有し、
前記電力管理サブフィールドは１ビットを有し、
前記モアデータサブフィールドは１ビットを有し、
前記被保護フレームサブフィールドは１ビットを有し、
前記サービス期間の終了サブフィールドは１ビットを有し、
前記中継フレームサブフィールドは１ビットを有し、
前記トラフィック識別子（ＴＩＤ）サブフィールドは２ビットを有する、
請求項２５に記載の装置。
【請求項２９】
少なくとも１つのプロセッサと、
前記少なくとも１つのプロセッサに通信可能に結合された無線器と、
前記無線器に通信可能に結合された少なくとも１つのアンテナと、
前記少なくとも１つのプロセッサに通信可能に結合されたディスプレイと、
前記少なくとも１つのプロセッサに通信可能に結合されたメモリと、
を更に有する請求項２５に記載の装置。
【請求項３０】
１ビットが前記値を提供する、請求項２５に記載の装置。
【請求項３１】
１つ以上のビットが前記値を提供する、請求項２５に記載の装置。
【請求項３２】
命令を格納した少なくとも１つのコンピュータ読み取り可能媒体であり、前記命令は、プロセッサによって実行されるときに該プロセッサに、
受信したショートフレーム内のアクナリッジメント（ＡＣＫ）ポリシーを処理させ、
前記ショートフレームはショートＭＡＣフレームフォーマットを有し、前記ショートフレームはフレーム制御フィールドを有し、前記フレーム制御フィールドは、前記ＡＣＫポリシーを部分的に指し示す値を有するアクナリッジメントポリシーサブフィールドを有し、前記ＡＣＫポリシーは、ノーマルＡＣＫポリシー、ＡＣＫ無しポリシー、又はブロックＡＣＫポリシーのうちの１つ以上を有する、
少なくとも１つのコンピュータ読み取り可能媒体。
【請求項３３】
前記ショートフレームは更に、アドレスフィールド、シーケンス制御フィールド、可変サイズのフレームボディ、及びフレームチェックシーケンス（ＦＣＳ）フィールドを有し、
アドレスフィールドは４つのアドレスフィールドを有し、前記４つのアドレスフィールドのうちの１つ以上は少なくとも２オクテットを有し、
シーケンス制御フィールドは２オクテットを有し、
フレームチェックシーケンス（ＦＣＳ）フィールドは４オクテットを有する、
請求項３２に記載の少なくとも１つのコンピュータ読み取り可能媒体。
【請求項３４】
前記フレーム制御フィールドはタイプサブフィールドを有し、前記タイプサブフィールドと前記アクナリッジメントポリシーサブフィールドとの組み合わせに、少なくとも４ビットが割り当てられる、請求項３２に記載の少なくとも１つのコンピュータ読み取り可能媒体。
【請求項３５】
前記フレーム制御フィールドは更に、
プロトコルバージョンサブフィールド、タイプサブフィールド、フロム分散システム（ＤＳ）サブフィールド、モアフラグメントサブフィールド、電力管理サブフィールド、モアデータサブフィールド、被保護フレームサブフィールド、サービス期間の終了サブフィールド、中継フレームサブフィールド、及びトラフィック識別子（ＴＩＤ）サブフィールド
のうちの１つ以上を有し、
前記プロトコルバージョンサブフィールドは２ビットを有し、
前記タイプサブフィールドは２ビットを有し、
前記フロム分散システム（ＤＳ）サブフィールドは１ビットを有し、
前記モアフラグメントサブフィールドは１ビットを有し、
前記電力管理サブフィールドは１ビットを有し、
前記モアデータサブフィールドは１ビットを有し、
前記被保護フレームサブフィールドは１ビットを有し、
前記サービス期間の終了サブフィールドは１ビットを有し、
前記中継フレームサブフィールドは１ビットを有し、
前記トラフィック識別子（ＴＩＤ）サブフィールドは２ビットを有する、
請求項３２に記載の少なくとも１つのコンピュータ読み取り可能媒体。
【請求項３６】
１ビットが前記値を提供する、請求項３２に記載の少なくとも１つのコンピュータ読み取り可能媒体。
【請求項３７】
１つ以上のビットが前記値を提供する、請求項３２に記載の少なくとも１つのコンピュータ読み取り可能媒体。
【請求項３８】
コンピュータによって実行される方法であって、
受信したショートフレーム内のアクナリッジメント（ＡＣＫ）ポリシーを処理することを有し、
前記ショートフレームはショートＭＡＣフレームフォーマットを有し、前記ショートフレームはフレーム制御フィールドを有し、前記フレーム制御フィールドは、前記ＡＣＫポリシーを部分的に指し示す値を有するアクナリッジメントポリシーサブフィールドを有し、前記ＡＣＫポリシーは、ノーマルＡＣＫポリシー、ＡＣＫ無しポリシー、又はブロックＡＣＫポリシーのうちの１つ以上を有する、
方法。
【請求項３９】
前記ショートフレームは更に、アドレスフィールド、シーケンス制御フィールド、可変サイズのフレームボディ、及びフレームチェックシーケンス（ＦＣＳ）フィールドを有し、
アドレスフィールドは４つのアドレスフィールドを有し、前記４つのアドレスフィールドのうちの１つ以上は少なくとも２オクテットを有し、
シーケンス制御フィールドは２オクテットを有し、
フレームチェックシーケンス（ＦＣＳ）フィールドは４オクテットを有する、
請求項３８に記載の方法。
【請求項４０】
前記フレーム制御フィールドはタイプサブフィールドを有し、前記タイプサブフィールドと前記アクナリッジメントポリシーサブフィールドとの組み合わせに、少なくとも４ビットが割り当てられる、請求項３８に記載の方法。
【請求項４１】
前記フレーム制御フィールドは更に、
プロトコルバージョンサブフィールド、タイプサブフィールド、フロム分散システム（ＤＳ）サブフィールド、モアフラグメントサブフィールド、電力管理サブフィールド、モアデータサブフィールド、被保護フレームサブフィールド、サービス期間の終了サブフィールド、中継フレームサブフィールド、及びトラフィック識別子（ＴＩＤ）サブフィールド
のうちの１つ以上を有し、
前記プロトコルバージョンサブフィールドは２ビットを有し、
前記タイプサブフィールドは２ビットを有し、
前記フロム分散システム（ＤＳ）サブフィールドは１ビットを有し、
前記モアフラグメントサブフィールドは１ビットを有し、
前記電力管理サブフィールドは１ビットを有し、
前記モアデータサブフィールドは１ビットを有し、
前記被保護フレームサブフィールドは１ビットを有し、
前記サービス期間の終了サブフィールドは１ビットを有し、
前記中継フレームサブフィールドは１ビットを有し、
前記トラフィック識別子（ＴＩＤ）サブフィールドは２ビットを有する、
請求項３８に記載の方法。
【請求項４２】
１ビットが前記値を提供する、請求項３８に記載の方法。
【請求項４３】
１つ以上のビットが前記値を提供する、請求項３８に記載の方法。
【発明の詳細な説明】
【技術分野】
【０００１】
実施形態は無線通信の分野にある。より具体的には、実施形態は、無線送信器及び受信器間での通信プロトコルの分野にある。
【背景技術】
【０００２】
無線通信システムは、地理的に異なる通信装置間で動作を連係させるために制御情報の双方向シグナリング（信号伝達）を利用することがある。無線通信システムの１つの設計トレードオフは、所与量のシステム帯域幅に対して制御情報及びデータ情報のボリュームを均衡化（バランス）させることである。オーバーヘッドとも呼ばれるときがある制御情報の増加は、データ伝送に利用可能なシステム帯域幅を減少させ得る。より多くの制御情報をシステムのプロトコルに含めることと、より少ない情報をシステムのプロトコルに含めることとの間でバランスが決定される。このバランスを決定する際の１つのファクタは、異なるプロトコルを使用する複数の装置で意図される使用法にある。一部のシステムにおいて、例えば、複数の装置のうちの一部は、増大したオーバーヘッドから何らかの利益を達成するために、電源を利用して、オーバーヘッド増大の方にバランスを推し進め得る高データレート及びその他の好ましい環境ファクタを利用することがある。他の装置は、電池電力を利用して、低データレートを有し、そして場合により、データ伝送のためにオーバーヘッドの低減の方にバランスを推し進める他の環境ファクタに従うことがある。しかしながら、制御情報の削減は、双方向シグナリングを管理することにおいて問題を生じさせ得る。制御情報の削減は、そのような管理機能を削減あるいは除去し、それにより、潜在的に信頼できない通信の原因となり得る。
【発明の概要】
【発明が解決しようとする課題】
【０００３】
実施形態によれば、ショートフレーム内でアクナリッジメントポリシーをシグナリングする方法及び装置が開示される。
【課題を解決するための手段】
【０００４】
パケットを送信する装置は、フレーム制御フィールドを有するショートフレームを生成するメディアアクセス制御ロジックを有し得る。フレーム制御フィールドは、ショートフレームのタイプを記述するタイプサブフィールドと、アクナリッジメントポリシーを記述するアクナリッジメントポリシーサブフィールドとを有し得る。この装置はまた、フレームの先頭にプリアンブルを追加し且つフレームを送信する物理層ロジックと有し得る。
【図面の簡単な説明】
【０００５】
【図１】複数の固定式あるいは移動式の通信装置を含む複数の通信装置を有する無線ネットワークの一実施形態を示す図である。
【図１Ａ】ショートフレームフォーマットの一実施形態を示す図である。
【図１Ｂ】ショートフレームフォーマットのフレーム制御フィールドの一実施形態を示す図である。
【図２】アクナリッジメントポリシーフィールドを備えたショートフレームの生成、送信、受信、復号化及び解釈を行う装置の一実施形態を示す図である。
【図３Ａ】アクナリッジメントポリシーフィールドを備えたショートフレームを生成するフローチャートの実施形態を示す図である。
【図３Ｂ】アクナリッジメントポリシーフィールドを備えたショートフレームを生成するフローチャートの実施形態を示す図である。
【図４Ａ】図１−２に示したようなアクナリッジメントポリシーフィールドを備えたショートフレームを用いた通信の送信、受信、復号化及び解釈を行うフローチャートの一実施形態を示す図である。
【図４Ｂ】図１−２に示したようなアクナリッジメントポリシーフィールドを備えたショートフレームを用いた通信の送信、受信、復号化及び解釈を行うフローチャートの一実施形態を示す図である。
【発明を実施するための形態】
【０００６】
以下、添付の図面に描かれた新規な実施形態を詳細に説明する。しかしながら、提示されるこれらの詳細事項は、記載される実施形態の予期されるバリエーションを制限することを意図したものではなく、むしろ、請求項及び詳細な説明は、添付の請求項によって規定される本教示の精神及び範囲に入る全ての変更、均等及び代替に及ぶものである。以下の詳細な説明は、そのような実施形態を当業者に理解可能にすることを意図している。
【０００７】
“一実施形態”、“或る実施形態”、“実施形態例”、“様々な実施形態”などへの言及は、そのように記載された実施形態が特定の機構、構造又は特徴を含み得ることを指し示しており、全ての実施形態が必ずその特定の機構、構造又は特徴を含むといったことを指し示すものではない。また、“一実施形態において”という言い回しの繰り返しての使用は、必ずしも同一の実施形態に言及するものではない（そうであることもあり得るが）。
【０００８】
ここでは、別段の指定がない限り、共通の対象を記述ための“第１の”、“第２の”、“第３の”などの序数形容詞の使用は、単に、同様の対象の異なるインスタンスを参照していることを指し示すものであり、そのように記述された対象が、時間的に、空間的に、順位的に、あるいはその他のやり方で、所与の順序になければならないということを意味するものではない。
【０００９】
ショートフレームとは、通信に伴われるオーバーヘッドを低減するために通信の制御情報が削減されているフレームであるとし得る。例えば、電気電子技術者協会（ＩＥＥＥ）８０２．１１ａｈは、メディアアクセス制御（ＭＡＣ）ヘッダの既存のフィールド群の一部を除去することによってＭＡＣヘッダオーバーヘッドを削減するショートＭＡＣフレームフォーマットを定義している。幾つかの実施形態は、既存のＭＡＣヘッダにおけるオーバーヘッドの低減から有意に恩恵を受け得る。一部の実施形態は、例えば、ＩＥＥＥ８０２．１１ａｈシステムに１メガヘルツ（ＭＨｚ）のチャンネル帯域幅を使用する。このような実施形態における最低のデータレートは、およそ６．５メガビット毎秒（Ｍｂｐｓ）／２０＝３２５キロビット毎秒（Ｋｂｐｓ）となり得る。２回反復コーディングが使用される場合、最低のデータレートは１６２．５Ｋｂｐｓに低下する。多くの実施形態において、最低のＰＨＹレートがビーコン及び制御フレームの伝送に使用される。データレートを低下させることは伝送距離を増大させ得るが、パケットを送信するのに遥かに長い時間を要する。一実施形態によれば、プロトコルの効率は、パケットのＭＡＣヘッダを、ショートＭＡＣヘッダであるように削減することによって向上されることができ、それにより、ＷｉＦｉを用いて非常に低い電力消費で例えばインターネットに接続する小型電池式無線装置（例えば、センサ）が可能にされ得る。
【００１０】
ＩＥＥＥ８０２．１１システムは典型的に、メディアアクセス制御（ＭＡＣ）フレームフォーマットを用いて制御情報を伝達している。ＭＡＣヘッダ（ショートではない）は、しかしながら、短めのペイロードすなわちＭＡＣプロトコルデータユニット（ＭＰＤＵ）に対して特に、有意なオーバーヘッドを導入してしまい得る。例えば、ＩＥＥＥ８０２．１１ｎシステムは、セキュリティなしで、３０−３６オクテットを有するＭＡＣヘッダを利用し得る。これは、例えばセンサや工業プロセスオートメーションでのトラフィックなどのショートパケット用途では非効率である。
【００１１】
ＩＥＥＥ８０２．１１ａｈは、ＭＡＣヘッダの既存のフィールド群の一部を除去することによってＭＡＣヘッダオーバーヘッドを削減するショートＭＡＣフレームフォーマットを定義している。ショートＭＡＣフレームフォーマットは、ＭＡＣヘッダを短縮するために使用されることができ、そしてＭＡＣヘッダの短縮化により、装置の電池寿命が長期化されるとともに媒体占有率が低下され得る。ショートＭＡＣフレームフォーマットから除去されるフィールドのうちの１つはアクナリッジメントポリシーフィールドであり、これは典型的に、通常のＭＡＣフレームフォーマットのサービス品質（ＱｏＳ）制御フィールドの一部である。
【００１２】
アクナリッジメントポリシーフィールドは、特定のアクナリッジメントポリシーが所与の接続、装置又はシステムに対して使用されるべきかを指し示し得る。例えば、装置は、通常（ノーマル）のアクナリッジメント（ＡＣＫ）スキームを使用してもよいし、ブロックＡＣＫスキームを使用してもよいし、あるいはＡＣＫスキームを全く使用しないこともある。ショートＭＡＣフレームフォーマットにアクナリッジメントポリシーフィールドが存在しないことは、特にＱｏＳアプリケーションにおいて、信頼できない通信につながり得る。また、ＡＣＫポリシーフィールドの不存在は、２つ以上のＡＣＫポリシーが有益な状況において低オーバーヘッドショートフレームを装置が使用できることを実効的に制限してしまい得るし、あるいは、ショートフレームのみを使用し得る装置が、２つ以上のＡＣＫポリシーの使用を必要とする通信に携わることを妨げてしまい得る。
【００１３】
多くの実施形態は、これら及びその他の問題を解決するために、例えばＩＥＥＥ８０２．１１ａｈシステムのショートＭＡＣフレームフォーマットなどの短縮ＭＡＣシグナリングを利用してＷＬＡＮシステムにアクナリッジメントポリシーを信号伝達する技術を実装することによって、ショートフレーム内でのアクナリッジメントポリシーのシグナリングを可能にするプロトコルを使用する。実施形態は、例えばハードウェア及び／又はコードなどのロジックを有し、ショートフレームを決定し、ショートフレームを送信し、フレームがショートフレームであることを通信し、そして、受信装置側でショートフレームの構文解析、復号化及び解釈（インタープリット）を行うことによって、ショートフレームでのアクナリッジメントポリシーのシグナリングを可能にし得る。
【００１４】
実施形態は、アクナリッジメント（ＡＣＫ）ポリシーフィールドを有する新たなショートフレームフォーマットを規定し得る。多くの実施形態は、この新たなショートフレームフォーマット内のフレーム制御フィールドのサブフィールドとしてＡＣＫポリシーフィールドを含むように、この新たなショートフレームフォーマットを規定し得る。幾つかの実施形態は、新たなショートフレームフォーマットの導入の影響を最小化するよう、現行のショートフレームフォーマットに対して再規定されたフレーム制御（ＦＣ）フィールドを有するショートフレームフォーマットを実装し得る。一実施形態において、ショートＭＡＣフレームフォーマットの現行のＦＣフィールドが、アクナリッジメントポリシーフィールドとして使用する１以上のビットをリザーブするように再規定される。結果として、これらの実施形態は、オペレータ、装置、又はネットワークに対して、値ごろ感、スケーラビリティ、モジュール性、拡張性、又は相互運用性を向上させることができる。一部の実施形態は、短縮・再規定されたタイプフィールドと新たなＡＣＫポリシーサブフィールドとをフレーム制御フィールド内に有する新たなショートフレームフォーマットを規定し得る。多くの実施形態は、ショートフレームフォーマットの有用性を高めるため、また、異なるベンダーからの異なる設計の装置との装置互換性を高めるため、例えばノーマルＡＣＫ、ブロックＡＣＫ、及びＡＣＫ無し（ノーＡＣＫ）などの２つ以上のＡＣＫポリシーを含むようにＡＣＫポリシーサブフィールドを規定し得る。
【００１５】
幾つかの実施形態において、フレーム制御（ＦＣ）フィールドは、タイプサブフィールド及びトラフィック識別子（ＴＩＤ）サブフィールドを含む多数のサブフィールドを有し得る。タイプサブフィールドは、４ビットのフィールドから２ビットのフィールドへと短縮されて、現行のタイプサブフィールドの情報を通信するように再規定され得る。例えば、ＩＥＥＥ８０２．１１ａｈシステムのショートフレームのタイプサブフィールドは、フレームのタイプが、データフレームビット列００００又は管理フレームビット列０００１としてフレームのタイプ（型）を通信することができ、また、現行でリザーブされているリザーブビット列１１１１を有し得る。残りのビット列はリザーブされている。タイプサブフィールドは、これらのビットのうちの２つをＡＣＫポリシーに利用するように再規定されることができる。
【００１６】
一部の実施形態において、タイプサブフィールドは、２ビットを使用するように再規定され得る。このような実施形態において、２ビット列が、データタイプフレーム００、管理タイプフレーム０１、リザーブフレーム１０、そして場合により拡張フレーム又は別のリザーブフレーム１１として規定され、あるいは、これらを特定するように再規定され得る。
【００１７】
実施形態は、４つの異なるポリシーを規定する新たなＡＣＫポリシーを作り出すよう、２ビット（例えば、タイプサブフィールドから取り戻された２ビットなど）を有する新たなサブフィールドを規定し得る。例えば、一部の実施形態は、少なくともノーマルＡＣＫ、ブロックＡＣＫ、及びＡＣＫ無しを提供するよう、２ビットのＡＣＫポリシーサブフィールドを規定し得る。これら追加のＡＣＫポリシーを含めることは、様々なベンダーによって設計された装置間での通信を有意に改善することができる。更なる実施形態において、２ビットのＡＣＫポリシーは、例えば、ノーマルＡＣＫと、ＡＣＫ無しと、明示ＡＣＫ無しと、ブロックＡＣＫとを含むＡＣＫポリシーを有し得る。更なる実施形態において、２ビットＡＣＫポリシーは、例えば、ノーマルＡＣＫ若しくは暗示ＡＣＫビット列００と、ＡＣＫ無しビット列１０と、明示ＡＣＫ無し若しくはパワーセーブマルチポール（ＰＳＭＰ）ＡＣＫビット列０１と、ブロックＡＣＫビット列１１とを含むＡＣＫポリシーを有し得る。多くの実施形態は、ショートフレームのフレーム制御フィールドのトラフィック識別子（ＴＩＤ）サブフィールド内にフレームサブタイプを実装し得る。
【００１８】
様々な実施形態は、システムオーバーヘッド、及び通信のショートフレームフォーマットにおけるＡＣＫポリシーの欠如に伴う様々な技術的問題に対処するように設計され得る。他の技術的問題は、ＡＣＫポリシーを規定するのに利用可能なビットがショートフレームフォーマット内にないこと、フィールド内のビットを再規定すること、フィールド値を短縮（トランケート）あるいは圧縮（コンプレス）すること、及び／又はこれらに類することを含み得る。
【００１９】
例えば上述のものなどの様々な技術的問題は、１つ以上の異なる実施形態によって対処され得る。例えば、システムオーバーヘッド及び通信のショートフレームフォーマットにおけるＡＣＫポリシーの欠如に対処する一部の実施形態は、例えば、ＡＣＫポリシーフィールドを規定するように利用を再規定されることが可能な１つ以上のサブフィールドを決定し、現行で規定されている機能のいたずらな損失を回避するように該１つ以上のサブフィールドを再規定し、ショートフレームフォーマットのフレーム制御フィールド内に新たなＡＣＫポリシーサブフィールドを規定することなどの、１つ以上の異なる技術的手段によってそうし得る。
【００２０】
一部の実施形態は、ＩＥＥＥ８０２．１１ａｈシステムや、例えばＩＥＥＥ８０２．１１−２０１２なる、情報テクノロジ―システム間での遠隔通信及び情報交換―ローカルエリアネットワーク及びメトロポリタンエリアネットワーク―具体的要求―パート１１：無線ＬＡＮメディアアクセスネットワーク（ＭＡＣ）及び物理層（ＰＨＹ）仕様（http://standards.ieee.org/getieee802/download/802.ll-2012.pdf）というＩＥＥＥ規格などの規格に従って動作するその他のシステムなど、ＩＥＥＥ８０２．１１システムを使用する。
【００２１】
一部の実施形態は特に、例えば１つ以上のＩＥＥＥ８０２．１１規格（集合的に“ＷｉＦｉ”すなわちワイヤレスフィデリティと呼ばれるときもある）を実装するＷＬＡＮなどの、無線ローカルエリアネットワーク（ＷＬＡＮ）に関する改善に向けられる。例えば、一実施形態において、例えばＩＥＥＥ８０２．１１ａｈ無線通信規格などのＷＬＡＮに、改善されたアクナリッジメントスキームが実装され得る。しかしながら、実施形態はこの例に限定されるものではない。
【００２２】
幾つかの実施形態は、例えばルータ、交換装置、サーバ、ワークステーション、ネットブック、モバイル装置（ラップトップ、スマートフォン、及びタブレットなど）、並びにセンサ、メータ、制御装置、器具、モニタ、及び家電機器などの、アクセスポイント（ＡＰ）、及び／又はＡＰ若しくは局（ステーション；ＳＴＡ）のクライアント装置を有する。一部の実施形態は、例えば屋内及び／又は屋外での“スマート”グリッドサービス及びセンササービスを提供し得る。例えば、一部の実施形態は、特定のエリア内の１つ以上の住宅に関して電気、水、ガス及び／又はその他のユーティリティの使用量を測定するセンサからデータを収集してこれらのサービスの使用量を計測支局に無線送信する計測局を提供し得る。更なる実施形態は、例えば転倒検知、薬瓶監視、体重監視、睡眠時無呼吸、血糖値、及び心拍リズムなどの、患者の健康管理関連事象及びバイタルサインを監視する在宅療養、診療所、又は病院のセンサからデータを収集し得る。このようなサービス用に設計される実施形態は、概して、ＩＥＥＥ８０２．１１ｎ／ａｃシステムで提供される装置より遥かに低いデータレートと遥かに低い（極めて低い）電力消費とを要求し得る。
【００２３】
ここに記載されるロジック、モジュール、装置、及びインタフェースは、ハードウェア及び／又はコードにて実装され得る機能を実行することができる。ハードウェア及び／又はコードは、機能を遂行するように設計された、ソフトウェア、ファームウェア、マイクロコード、プロセッサ、状態マシン、チップセット、又はこれらの組み合わせを有し得る。
【００２４】
実施形態は無線通信を支援し得る。一部の実施形態は、Ｂｌｕｅｔｏｏｔｈ（登録商標）、無線ローカルエリアネットワーク（ＷＬＡＮ）、無線メトロポリタンエリアネットワーク（ＷＭＡＮ）、無線パーソナルエリアネットワーク（ＷＰＡＮ）、セルラーネットワークのような低電力無線通信、ネットワーク内での通信、メッセージングシステム、及び装置間のインタラクションを支援するスマート装置を有し得る。また、一部の無線実施形態は単一のアンテナを組み入れ得るが、他の実施形態は複数のアンテナを使用してもよい。これらの１つ以上のアンテナは、プロセッサ及び無線器と結合して、無線波の送信及び／又は受信を行い得る。例えば、ＭＩＭＯ（multiple-input  and  multiple-output）は、通信性能を向上させるために送信器及び受信器の双方で複数のアンテナを介して複数の信号搬送無線チャンネルを使用するものである。
【００２５】
この開示は、ＷＬＡＮ関連の規格に限定されるものではなく、無線ワイドエリアネットワーク（ＷＷＡＮ）、並びにＷＷＡＮに含まれる無線装置、ユーザ装置若しくはネットワーク機器に関係する３Ｇ若しくは４Ｇの無線規格（後継及び異形を含む）にも適用され得る。３Ｇ若しくは４Ｇの無線規格の例は、限定されないが、改定、後継及び異形を含めて、ＩＥＥＥ８０２．１６ｍ規格及び８０２．１６ｐ規格、第３世代パートナーシッププロジェクト（３ＧＰＰ）ロングタームエボリューション（ＬＴＥ）規格及びＬＴＥ−Ａ（ＬＴＥアドバンスト）規格、並びにインターナショナルモバイルテレコミュニケーションズアドバンスト（ＩＭＴ−ＡＤＶ）規格を含み得る。他の好適な例は、限定されないが、グローバルシステムフォーモバイルコミュニケーションズ（ＧＳＭ（登録商標））エボリューション（ＥＤＧＥ）技術に関するＧＳＭ（登録商標）／エンハンストデータレート、ユニバーサルモバイルテレコミュニケーションズシステム（ＵＭＴＳ）／ハイスピードパケットアクセス（ＨＳＰＡ）技術、ワールドワイドインターオペラビリティフォーマイクロウェイブアクセス（ＷｉＭＡＸ）技術若しくはＷｉＭＡＸ  ＩＩ技術、符号分割多重アクセス（ＣＤＭＡ）２０００システム技術（例えば、ＣＤＭＡ２０００  １ｘＲＴＴ、ＣＤＭＡ２０００  ＥＶ−ＤＯ、及びＣＤＭＡ  ＥＶ−ＤＶなど）、欧州電気通信標準化機構（ＥＴＳＩ）によって規定されている高性能無線メトロポリタンエリアネットワーク（ＨＩＰＥＲＭＡＮ）技術、ブロードバンド無線アクセスネットワーク（ＢＲＡＮ）、無線ブロードバンド（ＷｉＢｒｏ）テクノロジ、汎用パケット無線サービス（ＧＰＲＡ）を用いるＧＳＭ（登録商標）システム（ＧＳＭ（登録商標）／ＧＰＲＳ）テクノロジ、高速ダウンリンクパケットアクセス（ＨＳＤＰＡ）テクノロジ、高速直交周波数分割多重（ＯＦＤＭ）パケットアクセス（ＨＳＯＰＡ）テクノロジ、高速アップリンクパケットアクセス（ＨＳＵＰＡ）システムテクノロジ、及びＬＴＥ／システムアーキテクチャエボリューション（ＳＡＥ）の３ＧＰＰリリース８−１２などを含み得る。ここでの例はこの状況に限定されるものではない。
【００２６】
以下に記載される特定の実施形態の一部は、特定の構成を有する実施形態を参照することになるが、当業者が悟るように、本開示に係る実施形態は、同様の課題又は問題を有する他の構成でも有利に使用され得る。
【００２７】
図１を参照するに、無線通信システム１０００の一実施形態が示されている。無線通信システム１０００は、ネットワーク１００５に有線及び無線で接続され得る通信装置１０１０を有している。通信装置１０１０は、ネットワーク１００５を介して複数の通信装置１０３０、１０５０及び１０５５と無線通信し得る。通信装置１０１０はアクセスポイントを有し得る。通信装置１０３０は、例えばセンサ、消費者電子装置、個人用モバイル装置、又はこれらに類するものなどの低電力通信装置を有し得る。そして、通信装置１０５０及び１０５５は、センサ、局、アクセスポイント、ハブ、交換装置、ルータ、コンピュータ、ラップトップ、ネットブック、携帯電話、スマートフォン、ＰＤＡ（携帯情報端末）、又はその他の無線可能装置を有し得る。故に、通信装置は移動式であってもよいし固定式であってもよい。例えば、通信装置１０１０は、住宅の近隣内の水消費量計測支局を有し得る。この近隣内の各住宅は、例えば通信装置１０３０などのセンサを有することができ、通信装置１０３０は、水使用量メータに一体化されるか結合されるかし得る。
【００２８】
最初に、通信装置１０３０が、送信すべきショートフレーム１０３４を決定し得る。例えば、通信装置１０３０のフレーム構築部１０３３が、通信装置１０３０のメモリ１０３１内のショートフレーム構造１０３２に基づいて、ショートフレーム１０３４を生成あるいは選択し得る。メディアアクセス制御（ＭＡＣ）サブレイヤロジック１０３８が、物理層（ＰＨＹ）ロジック１０３９と通信して、ショートフレーム１０３４を送信し得る。一部の実施形態において、ＰＨＹロジック１０３９は、フレームがショートフレームであることを指し示すビットを有するプリアンブルを生成し得る。
【００２９】
ショートフレーム１０３４は、ショートフレーム１０３４内のフレーム制御フィールドのタイプサブフィールド（フィールドとして参照されるときもある）内の値及びショートフレーム１０３４のフレーム制御フィールドのトラフィック識別子（ＴＩＤ）サブフィールド内の管理サブタイプなどの特定のサブタイプによって管理フレームタイプ又はデータフレームタイプとして特定されるショートＭＡＣヘッダを有するフレームを有し得る。更なる実施形態において、ショートフレーム１０３４のフレームタイプは、例えば拡張フレームなど、リザーブフィールド値を用いて特定される新たなフレームタイプなどの、異なるフレームタイプであり得る。その後、通信装置１０３０は、通信装置１０１０と関連付けるための例えばショート関連付け要求フレームなどのショートフレーム１０３４を送信し得る。
【００３０】
通信装置１０１０は、ショートフレーム１０３４をパケットの形態で受信し得る。このパケットは、プリアンブル１０１６を先頭に追加された、ショートフレーム１０１４と、一部の実施形態において１つ以上の更なるフレームとを有し得る。ＰＨＹロジック１０２９が、プリアンブル１０１６を復号化してショートフレーム１０１４を決定し、ショートフレーム１０１４をＭＡＣサブレイヤロジック１０１８に送信し得る。ＭＡＣサブレイヤロジック１０１８は、メモリ１０１１内のショートフレーム構造１０１２に基づいてショートフレーム１０１４を構文解析するとともに、１つ以上のフィールド値を解釈して、通信装置１０３０が関連付けを要求していることを決定し得る。通信装置１０１０は、通信装置１０３０を通信装置１０１０と関連付けるために、例えばショート関連付け応答フレームなどのショート管理フレームを送信し得る。
【００３１】
通信装置１０３０が通信装置１０１０と関連付くと、通信装置１０３０は周期的にショートデータフレームを通信装置１０１０に送信し得る。通信装置１０３０は、データフレームを指し示すフレーム制御フィールドのタイプサブフィールド内の２ビットと、ＡＣＫポリシーを指し示す値を有するショートデータフレーム１０３４内のフレーム制御フィールドのＡＣＫポリシーサブフィールド内の２ビットとを有するショートデータフレーム１０３３を生成し得る。例えば、通信装置１０３０は、ショートフレーム１０３３がデータフレームであることを指し示すべくタイプサブフィールドに値００を挿入するとともに、ショートデータフレーム１０３４のＡＣＫポリシーがノーマルＡＣＫポリシー若しくは暗示ブロックＡＣＫポリシーであることを通信装置１０１０に対して指し示すべくＡＣＫポリシーサブフィールドに値００を挿入し得る。他の状況において、通信装置１０３０は、ＡＣＫポリシーサブフィールドに、ＡＣＫ無しのＡＣＫポリシーを指し示すべく値１０を、明示ＡＣＫ無し若しくはパワーセーブマルチポール（ＰＳＭＰ）ＡＣＫを指し示すべく値０１を、あるいはブロックＡＣＫポリシーを指し示すべく値１１を挿入し得る。
【００３２】
ショートデータフレームに応答して、通信装置１０１０は、ショートデータフレーム１０１４の受信に応じたＡＣＫで応答し得る。また、通信装置１０３０はまた、水使用量に関するデータを送信するために、計測支局の通信装置１０１０からショートビーコンフレームを周期的に受信し得る。一部の実施形態において、ショートビーコンフレームは、通信装置１０１０が通信装置１０３０に関するデータをバッファリングしていることを指し示すインジケーションを含み得る。
【００３３】
更なる実施形態において、通信装置１０１０はデータオフローディングを支援し得る。例えば、低電力センサである通信装置は、計測局などへのアクセスを待つ際に消費される電力消費量を削減する目的及び／又は帯域幅の利用可能性を高める目的で、例えばＷｉ−Ｆｉ、別の通信装置、又はセルラーネットワークなどを介して通信するために、データオフローディングスキームを含み得る。センサからのデータを受信する例えば計測局などの通信装置は、ネットワーク１００５の混雑を低減する目的で、例えばＷｉ−Ｆｉ、別の通信装置、又はセルラーネットワークなどを介して通信するために、データオフローディングスキームを含み得る。
【００３４】
ネットワーク１００５は、多数のネットワークの相互接続を表し得る。例えば、ネットワーク１００５は、例えばインターネット又はイントラネットなどのワイドエリアネットワークと結合していてもよく、また、１つ以上のハブ、ルータ、又は交換装置を介して有線又は無線で相互接続されたローカル装置を相互接続してもよい。本実施形態において、ネットワーク１００５は、通信装置１０１０、１０３０、１０５０及び１０５５を通信可能に結合している。
【００３５】
通信装置１０１０及び１０３０は、それぞれ、プロセッサ１００１及び１００２、メモリ１０１１及び１０３１、並びにＭＡＣサブレイヤロジック１０１８及び１０３８を有している。プロセッサ１００１及び１００２は、例えばマイクロプロセッサ、マイクロコントローラ、状態マシン、及び／又はこれらに類するものなどのデータ処理装置を有し得る。メモリ１０１１及び１０３１は、例えばダイナミックランダムアクセスメモリ（ＤＲＡＭ）、読み出し専用メモリ（ＲＯＭ）、バッファ、レジスタ、キャッシュ、フラッシュメモリ、ハードディスクドライブ、ソリッドステートドライブ、又はこれらに類するものなどの記憶媒体を有し得る。メモリ１０１１及び１０３１は、例えばショートフレームなどのフレーム及び／又はショートフレーム構造を格納することができ、また、メモリ１０１１及び１０３１は、例えばショートＭＡＣヘッダなどのショートフレームヘッダ又はその一部を格納してもよい。多くの実施形態において、ショートフレームは、ＩＥＥＥ８０２．１１で特定される標準フレーム構造の構造に基づくフィールドを有し得る。図１Ａは、フィールドサイズのうちの１つ以上と例えばＤｕｒａｔｉｏｎフィールド及びサービス品質（ＱｏＳ）フィールドなど省かれた１つ以上のフィールドとを除いて、標準フレーム構造と同じショートフレーム構造を示している。
【００３６】
このショートフレーム構造は、ＭＡＣヘッダに含まれるフィールドの個数若しくはタイプ及び／又はフィールドのサイズにおいて、標準フレーム構造と異なり得る。例えば、ショートフレームにおいては、ヘッダ内のフィールドのうちの１つ以上又は更には全てが、短縮あるいは省略され得る。幾つかの実施形態において、タイプフィールドが２ビットに削減され、サブタイプフィールドが省かれる。更なる実施形態において、標準ＭＡＣヘッダ内の対応するプロトコルフィールドと同じサイズであるプロトコルフィールドが含められる。
【００３７】
図１Ａは、標準フレームのフィールドのうちの一部が省かれ、且つショートフレーム１０６０内のフィールドのうちの１つ以上が短縮あるいは圧縮された、ショートフレーム１０６０を例示している。図１Ａに示す実施形態において、ショートフレームは、ＭＡＣヘッダ１０６１と、それに続くフレームボディ（本体）フィールド１０８４及びフレームチェックシーケンス（ＦＣＳ）フィールド１０８６とを有している。フレームボディフィールド１０８４は、１つ以上の情報要素を有し得る。フレームボディ１０８４は、標準フレームのフレームボディのように、例えばゼロから２３１２オクテットまでといった可変数のオクテットであることができ、データ要素、制御要素、又はパラメータや能力を含み得る。ＦＣＳフィールド１０８６は、例えば標準フレームなどの４オクテットとすることができ、誤りの検出及び訂正のためにショートフレーム１０６０に付加される追加のチェックサム文字を含み得る。
【００３８】
ＭＡＣヘッダ１０６１は、フレーム制御フィールド１０６２、アドレス（ＡＤＤＲ）フィールド１０７４、ＡＤＤＲフィールド１０７６、シーケンス制御（ＳＥＱ  ＣＴＬ）フィールド１０８０、ＡＤＤＲフィールド１０７８、及びＡＤＤＲフィールド１０８２を有し得る。フレーム制御フィールド１０６２は、例えば標準フレームなどの２オクテットとすることができ、例えば管理タイプ及びビーコンサブタイプなどのフレームのタイプ及びサブタイプを特定し得る。特定のフレームタイプ及びサブタイプのショートフレームでは、標準フレームの場合と同様に、フィールドＡＤＤＲ１０７６、ＡＤＤＲ１０７８、シーケンス制御１０８０、ＡＤＤＲフィールド１０８２、及びフレームボディ１０８４のうちの１つ以上が存在するのみであり得る。更なる実施形態において、ショートフレームは、１つ以上の他のフィールドを有していてもよく、且つ／或いは、これらのフィールドのうちの１つ以上を、対応する標準フレームのフィールドに対して短縮あるいは圧縮した形態で有していてもよい。
【００３９】
フレーム制御フィールド１０６２は、プロトコルバージョンフィールド１０６４、タイプフィールド１０６６、その他のフレーム制御ビット１０７０、及びＡＣＫポリシーフィールド１０６８を有し得る。プロトコルバージョンフィールド１０６４は２ビット長（Ｂ０−Ｂ１）とし得る。プロトコルバージョンフィールド１０６４の値は、フレームが表現する対応する規格のレビジョンを表し得る。タイプフィールド１０６６は、２ビット長（Ｂ２−Ｂ３）とすることができ、例えば管理フレーム又はデータフレームなどのショートフレーム１０６０のタイプを特定し得る。ＡＣＫポリシーフィールド１０６８は、２ビット長（Ｂ１４−Ｂ１５）とすることができ、例えばノーマルＡＣＫ、ＡＣＫ無し、及びブロックＡＣＫなどの、利用可能なＡＣＫポリシーのうちの１つを特定するための値を有し得る。そして、その他のビット１０７０は、更なるフレーム制御フィールドパラメータに使用され得る。なお、ショートフレーム１０６０は、ショートフレームの一実施形態を例示するものである。他のショートフレームは、異なるように配置されたフィールド、又は上述のフィールドのうちの一部を包含あるいは省略したフィールドを含んでいてもよい。
【００４０】
図１Ｂは、ショートフレームフォーマット１０６０に好適なフレーム制御フィールド１１００の一実施形態を例示している。図１Ｂに示すように、フレーム制御フィールド１１００は、２ビット（Ｂ０−Ｂ１）を有するプロトコルバージョンサブフィールド１１０４と、２ビット（Ｂ２−Ｂ３）を有するタイプサブフィールド１１０６と、１ビット（Ｂ４）を有するフロム分散システム（ＦＲＯＭ  ＤＳ）サブフィールド１１０８と、１ビット（Ｂ５）を有するモアフラグメント（ＭＯＲＥ  ＦＲＡＧＳ）サブフィールド１１１０と、１ビット（Ｂ６）を有する電力管理（パワーマネジメント；ＰＷＲ  ＭＧＭＴ）サブフィールド１１１２と、１ビット（Ｂ７）を有するモアデータ（ＭＯＲＥ  ＤＡＴＡ）サブフィールド１１１４と、１ビット（Ｂ８）を有する被保護（プロテクティド）フレームサブフィールド１１１６と、１ビット（Ｂ９）を有するサービス期間の終了（エンドオブサービスプリオド）サブフィールド１１１８と、１ビット（Ｂ１０）を有する中継（リレイド）フレームサブフィールド１１２０と、３ビット（Ｂ１１−Ｂ１３）を有するトラフィック識別子（ＴＩＤ）サブフィールド１１２２と、２ビット（Ｂ１４−Ｂ１５）を有するアクナリッジメントポリシーサブフィールド１１２４とを有し得る。これらのフィールド及びフィールドサイズは例示であり、フレーム制御フィールド１１００の所与の実装は、異なるフィールド及びフィールドサイズを有していてもよい。実施形態は、この状況に限定されるものではない。
【００４１】
図１Ｂに示すように、フレーム制御フィールド１１００は、ＩＥＥＥ８０２．１１ａｈに規定される現行のショートフレームのフレーム制御フィールドとの２つの有意な相違を有する。第１に、ＩＥＥＥ８０２．１１ａｈに規定される現行のショートフレームのフレーム制御フィールドのタイプサブフィールドが４ビット長であるのに対し、フレーム制御フィールド１１００のタイプサブフィールド１１０６は２ビット長である。第２に、ＩＥＥＥ８０２．１１ａｈに規定される現行のショートフレームのタイプサブフィールドの解放された２ビットが、フレーム制御フィールド１１００の新たなアクナリッジメントポリシーサブフィールド１１２４に再割り当てされている。
【００４２】
アクナリッジメントポリシーサブフィールド１１２４は、アクナリッジメントポリシー情報を有するショートＭＡＣフレームフォーマット１０６０を提供するために使用され得る。アクナリッジメントポリシーサブフィールド１１２４は、特定のアクナリッジメントポリシーが、例えばＩＥＥＥ８０２．１１ａｈのＷＬＡＮシステムなどのＷＬＡＮシステムの所与の接続、装置又はシステムに対して使用され得るかを指し示し得る。例えば、装置は、ノーマルアクナリッジメント（ＡＣＫ）スキームを使用してもよいし、ブロックＡＣＫスキームを使用してもよいし、あるいはＡＣＫスキームを全く使用しないこともある。一実施形態において、後継、改定及び異形を含めてＩＥＥＥ８０２．１１系規格、又は更には何らかの他の無線通信プロトコル、の何れで定義されるアクナリッジメントポリシーサブフィールド１１２４にも、同じアクナリッジメントポリシーフィールドの定義が使用され得る。ショートＭＡＣフレームフォーマット１０６０内にアクナリッジメントポリシーフィールドが存在することは、特にＱｏＳアプリケーションにおいて、より信頼できる通信につながり得る。ショートフレームの他のフレーム制御フィールドは、異なるように配置されたフィールド、又は上述のフィールドのうちの一部を包含あるいは省略したフィールドを含んでいてもよい。
【００４３】
図１を再び参照するに、ＭＡＣサブレイヤロジック１０１８、１０３８は、通信装置１０１０、１０３０のデータリンク層のＭＡＣサブレイヤの機能を実装するロジックを有し得る。ＭＡＣサブレイヤロジック１０１８、１０３８は、例えばショート管理フレーム、ショートデータフレームなどのフレームと、一部の実施形態においてショート制御フレームとを生成することができ、また、ＰＨＹロジック１０２９、１０３９と通信して、これらのフレームがショートフレーム１０１４、１０３４であることを指し示し得る。ＰＨＹロジック１０２９、１０３９は、ショートフレーム１０１４、１０３４に基づいて物理層プロトコルデータユニット（ＰＰＤＵ）を生成し得る。より具体的には、フレーム構築部１０１３及び１０３３が、ショートフレーム１０１４、１０３４を生成し、ＰＨＹロジック１０２９、１０３９のデータユニット構築部１０１５、１０３５が、ショートフレーム１０１４、１０３４の先頭にプリアンブル１０１６、１０３６を追加して、例えばトランシーバ（ＲＸ／ＴＸ）１０２０及び１０４０などの物理層装置を介した送信のためのＰＰＤＵを生成し得る。
【００４４】
ＭＡＣ層サービスデータユニット（ＭＳＤＵ）としても参照するショートフレーム１０１４は例えば管理フレームを有し得る。例えば、フレーム構築部１０１３が、例えばサポートされるデータレート、電力節減機能、クロスサポート、などの能力を有するものとして通信装置１０１０を特定するための、例えばショートビーコンフレームなどの管理フレームと、通信装置１０３０に対してネットワークを特定するためのネットワークのサービスセット識別子（ＳＳＩＤ）とを生成し得る。
【００４５】
通信装置１０１０、１０３０、１０５０及び１０５５は各々、例えばトランシーバ（ＲＸ／ＴＸ）１０２０及び１０４０などのトランシーバを有し得る。多くの実施形態において、トランシーバ１０２０及び１０４０は、直交周波数分割多重（ＯＦＤＭ）１０２２、１０４２を実装し得る。ＯＦＤＭ１０２２、１０４２は、複数のキャリア周波数上にデジタルデータをエンコードする方法を実装している。ＯＦＤＭ１０２２、１０４２は、デジタルマルチキャリア変調法として使用される周波数分割多重スキームを有する。データを搬送するために、多数の密集した直交サブキャリア信号が使用される。データは、各サブキャリアに１つずつの複数の並列データストリーム又はチャンネルに分割される。同じ帯域幅での従来のシングルキャリア変調方式と同等の総データレートを維持しながら、各サブキャリアが低シンボルレートの変調方式で変調される。
【００４６】
ＯＦＤＭシステムは、データ、パイロット、ガード、及びヌリング（ゼロ化）を含む機能に複数のキャリアすなわち“トーン”を使用する。データトーンは、チャンネルのうちの１つを介して送信器と受信器との間で情報を伝送するために使用される。パイロットトーンは、チャンネルを維持管理するために使用され、時間／周波数及びチャンネルトラッキングについての情報を提供し得る。そして、ガードトーンは、信号がスペクトルマスクに一致する助けとなり得る。ダイレクト成分（ＤＣ）のヌリングは、ダイレクトコンバージョン受信器設計を単純化するために使用され得る。そして、マルチパス（多経路）歪みから生じ得るものであるシンボル間干渉（ＩＳＩ）を回避するために、送信中の送信器のフロントエンドで、例えば全てのＯＦＤＭシンボルの間、及びショートトレーニングフィールド（ＳＴＦ）シンボルとロングトレーニングフィールド（ＬＴＦ）シンボルとの間など、シンボル間にガードインターバルが挿入され得る。
【００４７】
各トランシーバ１０２０、１０４０は、ＲＦ送信器とＲＦ受信器とを有する無線器１０２５、１０４５を有している。ＲＦ送信器はＯＦＤＭ１０２２を有し、それにより、電磁放射線によるデータの送信のために、トーンをエンコードされたＯＦＤＭシンボルであるデジタルデータを、サブキャリアとも呼ばれるＲＦ周波数上に押し与える。本実施形態において、ＯＦＤＭ１０２２は、トーンをエンコードされたＯＦＤＭシンボルとしてのデジタル信号を、伝送のためのサブキャリア上に押し与え得る。ＯＦＤＭ１０２２は、無線器１０２５、１０４５を介してアンテナアレイ１０２４の素子群に与えられる信号へと情報信号を変換し得る。ＲＦ受信器は、ＲＦ周波数の電磁エネルギーを受信し、ＯＦＤＭシンボルからデジタルデータを抽出する。
【００４８】
一部の実施形態において、通信装置１０１０は必要に応じて、破線によって指し示されるように、デジタルビームフォーマ（ＤＢＦ）１０２３を有する。一部の実施形態において、ＤＢＦ１０２３はＯＦＤＭ１０２２の一部とし得る。ＤＢＦ１０２３は、空間的なフィルタリングを提供するものであり、指向性のある信号の送信又は受信のためにアンテナアレイ１０２４とともに使用される信号処理技術である。これは、特定の角度の信号が建設的干渉を受ける一方で、その他のものが相殺的干渉を受けるように、フェイズドアンテナアレイ１０２４内の素子群を組み合わせることによって達成される。ビーム成形は、空間的な選択性を達成するために、送信端及び受信端の双方で使用されることができる。アンテナアレイ１０２４は、個々の別々に励起可能なアンテナ素子のアレイである。アンテナアレイ１０２４の素子群に与えられる信号が、アンテナアレイ１０２４に１から４の空間チャンネルを放射させる。そのように形成された各空間チャンネルが、通信装置１０３０、１０５０及び１０５５のうちの１つ以上に情報を搬送し得る。同様に、通信装置１０３０は、通信装置１０１０から信号を受信するとともに通信装置１０１０に信号を送信するトランシーバ（ＲＸ／ＴＸ）１０４０を有している。トランシーバ（ＲＸ／ＴＸ）１０４０は、アンテナアレイ１０４４と必要に応じてのＤＢＦ１０４２とを有し得る。
【００４９】
図１は、例えば４つの空間ストリームを用いるＭＩＭＯ（Multiple-Input，Multiple-Output）システムを含む多数の異なる実施形態を示し得る。図１はまた、ＳＩＳＯ（Single-Input，Single-Output）システム、ＳＩＭＯ（Single-Input，Multiple-Output）システム、及びＭＩＳＯ（Multiple-Input，Single-Output）システムを含め、通信装置１０１０、１０３０、１０５０及び１０５５のうちの１つ以上が単一のアンテナを有する受信器及び／又は送信器を有する縮退システムを示し得る。他の例では、図１は、複数のアンテナを含み且つマルチユーザＭＩＭＯ（ＭＵ−ＭＩＭＯ）動作が可能であり得るトランシーバを示し得る。
【００５０】
図２は、例えば図１Ａ−１Ｂに関連して説明したショートフレームなどのショートフレームの生成、送信、受信、及び解釈若しくは復号化を行う装置の一実施形態を示している。この装置は、メディアアクセス制御（ＭＡＣ）サブレイヤロジック２０１と物理層（ＰＨＹ）ロジック２０２とに結合されたトランシーバ２００を有している。ＭＡＣサブレイヤロジック２０１は、ショートフレームを決定し、物理層（ＰＨＹ）ロジック２０２は、トランシーバ２００を介して送信すべく、ＭＡＣプロトコルデータユニット（ＭＰＤＵ）とも呼ぶフレーム又は複数フレームの先頭にプリアンブルを追加することによってＰＰＤＵを決定し得る。例えば、フレーム構築部が、例えば管理フレーム、制御フレーム又はデータフレームなどのフレームのタイプを規定するタイプフィールドと、フレームに関するＡＣＫポリシーに対するＡＣＫポリシーフィールドとを含むフレームを生成し得る。制御フレームは、Ｒｅａｄｙ−Ｔｏ−Ｓｅｎｄフレーム又はＣｌｅａｒ−Ｔｏ−Ｓｅｎｄフレームを含み得る。管理フレームは、ビーコン、プローブ要求／応答、関連付け要求／応答、及び再関連付け要求／応答なるフレームタイプを有し得る。そして、データタイプのフレームは、データを伝送するように設計される。
【００５１】
多くの実施形態において、ＭＡＣサブレイヤロジック２０１は、例えば図１Ａ−１Ｂに示したショートフレームのうちの一方などのフレーム（ＭＰＤＵ）を生成するフレーム構築部２０２を有し得る。このショートフレームは、標準フレームに対して短縮／圧縮あるいは省略されたフィールドを有し得る。例えば、短縮／圧縮されたフィールドは、そのフィールドの一部のビットがショートフレームに使用されなくても、ショートフレームに関する情報を、より少ないビットで伝達することができるか、あるいは、除去されたビットによって表される情報をショートフレームでは伝送しないかにより、標準フレームにおける対応するフィールドより少ないビットを有することができる。
【００５２】
本実施形態において、ショートフレームは、２ビット長であるタイプフィールドと、２ビット長であるＡＣＫポリシーフィールドとを有し得る。ＡＣＫポリシーフィールドは、特定のＡＣＫポリシーが所与の接続、装置又はシステムに対して使用されるべきかを指し示し得る。例えば、装置は、ノーマルアクナリッジメントスキームを使用してもよいし、ブロックＡＣＫスキームを使用してもよいし、あるいはＡＣＫスキームを全く使用しないこともある。
【００５３】
ショートフレーム構造、フィールド値、及び／又はショートフレームは、例えば図１の通信装置１０１０などのアクセスポイント及び例えば図１の通信装置１０３０などの局によって、メモリ１０１２、１０３２にて維持管理され得る。例えば、一部の実施形態において、フレーム構築部２０２が、通信装置のメモリ内で規定されるショートＭＡＣヘッダを有するショートフレームを生成し、このショートフレームをＭＡＣサブレイヤロジック２０１がＰＨＹロジック２０２へと送信し得る。
【００５４】
ＰＨＹロジック２０２は、データユニット構築部２０３を有し得る。データユニット構築部２０３が、フレームがショートフレームであることを指し示すように設定されたビットを有するプリアンブルを決定し、ＰＨＹロジック２０２が、このプリアンブルをＭＰＤＵの先頭に追加してＰＰＤＵを生成し得る。多くの実施形態において、データユニット構築部２０３は、宛先通信装置とのインタラクションを通じて選択された通信パラメータに基づいてプリアンブルを作成し得る。
【００５５】
トランシーバ２００は、受信器２０４及び送信器２０６を有している。送信器２０６は、エンコーダ２０８、変調器２１０、ＯＦＤＭ２１２、及びＤＢＦ２１４のうちの１つ以上を有し得る。送信器２０６のエンコーダ２０８は、ＭＡＣサブレイヤロジック２０２から送信される予定のデータを受信し、例えばバイナリ畳み込み符号化（ＢＣＣ）、低密度パリティ検査符号化（ＬＤＰＣ）、及び／又はこれらに類するものを用いて符号化する。変調器２１０は、エンコーダ２０８からデータを受信し、受信したデータブロックを、選択された周波数の正弦波上に、例えば、データブロックを、それに対応した、該正弦波の離散的な振幅の組、該正弦波の離散的な位相の組、又は該正弦波の周波数に対する離散的な周波数シフトの組、にマッピングすることによって押し与え得る。
【００５６】
変調器２１０の出力は、直交周波数分割多重（ＯＦＤＭ）モジュール２１２へと送られる。ＯＦＤＭモジュール２１２は、空間−時間ブロック符号化（ＳＴＢＣ）モジュール２１１、デジタルビームフォーミング（ＤＢＦ）モジュール２１４、及び逆高速フーリエ変換（ＩＦＦＴ）モジュール２１５を有し得る。ＳＴＢＣモジュール２１１は、１つ以上の空間ストリームに対応する配置（コンステレーション）点を変調器２１０から受信し、空間ストリームを、より多数の時空間ストリーム（一般にデータストリームとも呼ばれている）へと広げ得る。更なる実施形態はＳＴＢＣを省略してもよい。
【００５７】
ＯＦＤＭモジュール２１２は、ＯＦＤＭシンボルとして形成された変調データを複数の直交サブキャリア上に付与あるいはマッピングし、そうして、ＯＦＤＭシンボルがサブキャリア又はローンでエンコードされる。一部の実施形態において、ＯＦＤＭシンボルは、デジタルビームフォーミング（ＤＢＦ）モジュール２１４に送られる。一般に、デジタルビームフォーミングは、アンテナ素子のアレイによって受信される信号及びそれから送信される信号の上で動作するデジタル信号処理アルゴリズムを使用する。
【００５８】
逆高速フーリエ変換（ＩＦＦＴ）モジュール２１５は、ＯＦＤＭシンボル上で逆離散フーリエ変換（ＩＤＦＴ）を実行し得る。ＩＦＦＴモジュール２１５の出力は、送信器フロントエンド２４０に入力される。送信器フロントエンド２４０は、信号を増幅してアンテナアレイ２１８を介しての送信のために信号の準備を整えるパワーアンプ（ＰＡ）２４４を備えた無線器２４２を有し得る。
【００５９】
実施形態は、如何なる特定の無線インタフェース又は変調方式にも限定されないが、一実施形態において、無線器２４２、２５２は、シングルキャリア変調あるいはマルチキャリア変調された信号（例えば、相補コードキーイング（ＣＣＫ）シンボル及び／又は直交周波数分割多重（ＯＦＤＭ）シンボルを含む）の送信及び／又は受信に適応されたコンポーネント、又は複数のコンポーネントの組み合わせを含み得る。無線器２４２、２５２は、例えば、受信器、送信器、及び／又は周波数合成器を含み得る。無線器２４２、２５２は、例えば、バイアス制御部と水晶発振器とを含むとともに、１つ以上のアンテナ２１８と結合し得る。他の一実施形態において、無線器２４２は、要求に応じて、外部電圧制御発振器（ＶＣＯ）、表面音響波フィルタ、中間周波数（ＩＦ）フィルタ、及び／又はＲＦフィルタを使用し得る。多様なＲＦインタフェースが可能であるため、その広範囲の説明は省略する。
【００６０】
信号は、より高い搬送周波数へとアップコンバートされてもよく、あるいはアップコンバージョンと一体的に実行されてもよい。送信前に信号をより高い周波数へとシフトさせることは、実用的な寸法のアンテナアレイの使用を可能にする。すなわち、送信周波数が高いほど、小さいアンテナにすることができる。故に、アップコンバータが、変調波形に正弦波を乗じることで、変調波形の中心周波数と正弦波の周波数との和にあたる搬送周波数を有する信号が得られる。
【００６１】
トランシーバ２００はまた、アンテナアレイ２１８に接続されたデュプレクサ（送受切替器）２１６を有し得る。故に、この実施形態において、単一のアンテナアレイが送信及び受信の双方に使用される。送信するとき、信号は、デュプレクサ２１６を通過して、アップコンバートされた情報担持信号でアンテナを駆動する。送信中、デュプレクサ２１６は、送信される信号が受信器２０４に入ることを防止する。受信するとき、アンテナアレイによって受信された情報担持信号が、デュプレクサ２１６を通過して、アンテナアレイからの信号を受信器２０４に届ける。この場合、デュプレクサ２１６は、受信信号が送信器２０６に入ることを防止する。故に、デュプレクサ２１６は、アンテナアレイ素子を受信器２０４及び送信器２０６に代わる代わる接続するスイッチとして動作する。
【００６２】
アンテナアレイ２１８は、情報担持信号を、受信器のアンテナによって受信されることが可能な電磁エネルギーの時変的な空間分布に放射する。そして、受信器は受信信号の情報を抽出することができる。他の実施形態において、トランシーバ２００は、アンテナアレイではなく１つ以上のアンテナを有することができ、また、幾つかの実施形態において、受信器２０４及び送信器２０６はそれら自身のアンテナ又はアンテナアレイを有し得る。
【００６３】
トランシーバ２００は、情報を担持する通信信号を受信し、復調し、そして復号化する受信器２０４を有し得る。受信器２０４は、信号の検出、パケットの始まりの検出、キャリア周波数の除去、及び低雑音増幅器（ＬＮＡ）２５４を用いた無線器２５２によるサブキャリアの増幅を行う受信器フロントエンド２５０を有し得る。通信信号は、例えば、１ＭＨｚのキャリア周波数上に３２トーンを有し得る。受信器２０４は、高速フーリエ変換（ＦＦＴ）モジュール２１９を有し得る。ＦＦＴモジュール２１９は、通信信号を時間ドメインから周波数ドメインに変換し得る。
【００６４】
受信器２０４はまた、ＯＦＤＭモジュール２２２、復調器２２４、デインターリーバ２２５、及びデコーダ２２６を有することができ、イコライザ２５８がＯＦＤＭモジュール２２２に、ＯＦＤＭパケットに関する重み付けられたデータ信号を出力し得る。ＯＦＤＭ２２２は、情報担持通信信号が上に変調された複数のサブキャリアからＯＦＤＭシンボルとして信号情報を抽出する。
【００６５】
ＯＦＤＭモジュール２２２は、ＤＢＦモジュール２２０及びＳＴＢＣモジュール２２１を有し得る。受信信号は、イコライザからＤＢＦモジュール２２０に送られる。ＤＢＦモジュール２２０は、受信器の方に向けられた指向性の送信として受信信号を処理するアルゴリズムを有し得る。そして、ＳＴＢＣモジュール２２１が、データストリームを時空間ストリームから空間ストリームに変換し得る。
【００６６】
復調器２２４が空間ストリームを復調する。復調は、空間ストリームからデータを抽出して、復調された空間ストリームを作り出す処理である。復調の方法は、受信したキャリア信号上に情報を変調する際の方法に依存し、それらの情報は、通信信号に含まれる送信ベクトル（ＴＸベクトル）内に含められている。故に、例えば、変調がＢＰＳＫである場合、復調は、位相情報をバイナリシーケンスに変換するための位相検出を伴う。復調により、情報ビットのシーケンスがデインターリーバ２２５に提供される。
【００６７】
デインターリーバ２２５は、情報ビットのシーケンスのインターリーブを解除（デインターリーブ）し得る。例えば、デインターリーバ２２５は、ビットのシーケンスをメモリのカラム（列）に格納し且つロウ（行）にてメモリからビットを除去あるいは出力することで、情報ビットをデインターリーブし得る。デコーダ２２６が、復調器２２４からのデインターリーブされたデータを復号化し、復号化された情報ＭＰＤＵをＭＡＣサブレイヤロジック２０２に送信する。
【００６８】
当業者が認識するように、トランシーバは、図２に示されていない数多くの更なる機能を有していてもよく、また、受信器２０４及び送信器２０６は、１つのトランシーバとしてパッケージングされるのではなく、別々の装置にされることもできる。例えば、トランシーバの実施形態は、ダイナミックランダムアクセスメモリ（ＤＲＡＭ）、基準発振器、フィルタ回路、同期化回路、インターリーバ及びデインターリーバ、場合により複数の周波数変換段、並びに複数の増幅段などを有していてもよい。また、図２に示した機能のうちの幾つかが統合されてもよい。例えば、デジタルビームフォーミングは、直交周波数分割多重と統合されてもよい。
【００６９】
ＭＡＣサブレイヤロジック２０１は、ショートフレームに関して通信装置内で規定されるフォーマットに基づいてＭＰＤＵを構文解析し、タイプ値及びサブタイプ値を求めることによってフレームの特定のタイプを決定し得る。そして、ＭＡＣサブレイヤロジック２０１は、ＭＡＣヘッダ内で指し示される特定のタイプ及びサブタイプのショートフレームに関する定義に基づいて、ＭＰＤＵの残りの部分の構文解析及び解釈を行い得る。例えば、そのショートフレームがショート管理フレームである場合、フレームボディは、送信のソース局の通信嗜好に合わせて設定すべきパラメータを含み得る。一部の実施形態において、フレームボディは、例えば、ソース局が当該ソース局のためにアクセスポイントが応答することを要求するトラフィックなど、トラフィック嗜好に関する情報を含み得る。
【００７０】
図３Ａ−３Ｂは、ショートフレームを生成し、プリアンブルを生成してショートフレームの先頭に追加し、ショートフレームを通信装置間で伝送し、フレームがショートフレームであることをＭＡＣサブレイヤロジックとＰＨＹロジックとの間の通信を介して指し示し、そして、ショートフレームを構文解析して解釈することのフローチャートの実施形態を示している。特に、図３Ａは、ショートフレームを生成あるいはその他の方法で決定することのフローチャート３００の一実施形態を示している。フローチャート３００は、メディアアクセス制御（ＭＡＣ）サブレイヤロジックがショートフレームのフレーム制御フィールドを決定することで開始する（要素３０５）。一部の実施形態において、ＭＡＣサブレイヤロジックは、プロトコルバージョンフィールドが規格の最新レビジョンであり、タイプが、例えば００などのデータフレーム又は例えば値０１などの管理フレームであり、サブタイプが、トラフィック識別子（ＴＩＤ）フィールド内の例えば値１００などのビーコンであることを決定し得る。多くの実施形態において、ＭＡＣサブレイヤロジックは、ＡＣＫポリシーを決定して、ＡＣＫポリシーフィールドに適切なＡＣＫポリシーフィールド値、例えば、ノーマルＡＣＫ若しくは暗示ＡＣＫを指し示す値００、明示ＡＣＫ無しを指し示す値０１、ＡＣＫ無しを指し示す値１０、又は明示ブロックＡＣＫを指し示す値１１、を挿入し得る。
【００７１】
一部の実施形態において、ＭＡＣサブレイヤロジックは、例えばアドレスの最下位の２オクテットを利用することによって、例えば短縮されたアドレス値などの、１つ以上の短縮された値を決定し得る。他の実施形態において、ＭＡＣサブレイヤロジックは、受信側の通信装置によって復号化されることが可能なように値のハッシュ値を取るか値をその他の方法で圧縮するかによって、短縮あるいは圧縮された値を決定し得る。
【００７２】
ＭＡＣサブレイヤロジックは、ショートフレームの残りの部分を決定し得る（要素３２０）。例えば、ＭＡＣサブレイヤロジックは、例えばＴＩＤフィールド値、モアフラグメントフィールド値、電力管理フィールド値、被保護フレームフィールド値、モアデータフィールド値、及び／又はこれらに類するものなどの、フレーム制御フィールドの残部及びＭＡＣヘッダの残部を生成し得る。
【００７３】
ＭＡＣサブレイヤロジックは、フレームボディを決定し得る（要素３２５）。多くの実施形態において、フィールドを決定することは、フレームに含めるために、例えば図１に示したメモリ１０１２などの記憶媒体からこれらのフィールド値を取り出すことを有し得る。他の実施形態において、これらのフィールドに含める値は、例えば読み出し専用メモリ、ランダムアクセスメモリ、キャッシュ、バッファ又はレジスタなどの記憶媒体に格納されてもよい。更なる実施形態において、フィールドのうちの１つ以上は、ＭＡＣサブレイヤロジック、ＰＨＹロジックにハードコードされてもよく、あるいは、その他の方法でフレームへの挿入に利用可能にされてもよい。更なる他の実施形態において、ＭＡＣサブレイヤロジックは、ショートビーコンフレームのフィールドの値を、各々の値を指し示すものへのアクセスに基づいて生成してもよい。
【００７４】
ショートフレームのその他の部分を決定した後、ＭＡＣサブレイヤロジックは、アクセスポイントでの誤り訂正を実現するために、フレームチェックシーケンス（ＦＣＳ）フィールド値を決定し得る（要素３３５）。
【００７５】
ＭＡＣサブレイヤロジックがショートフレームを決定する間又は後に、ＭＡＣサブレイヤロジックはまた、物理層（ＰＨＹ）ロジックと通信してショートフレームを送信し得る（要素３４０）。一部の実施形態において、ＭＡＣサブレイヤロジックは、フレームがショートフレームであることを指し示すフィールド値をＰＨＹロジックに送信し得る。
【００７６】
図３Ｂは、ショートフレームを受信し、復号化し、構文解析して解釈し、あるいはその他の方法で決定することのフローチャート３５０の一実施形態を示している。フローチャート３５０は、ＰＨＹロジックが、ショートフレームを含む通信を受信し、その通信を復号化してショートフレームであるＭＡＣペイロードを決定し、ショートフレームを更なる処理のためにＭＡＣサブレイヤロジックに送信することで開始する（要素３５５）。ＰＨＹロジックは、受信器フロントエンドでのエネルギーレベルの検出によって通信を検出することができ、それに応答して、到来ＯＦＤＭパケットを処理することを開始し得る。パケットを処理した後、ＰＨＹ層データが除去されて、ショートフレームがＭＡＣサブレイヤロジックに送信され得る。一部の実施形態において、通信は、ペイロードとして複数のＭＡＣフレームを含み得る。幾つかの実施形態において、これらのＭＡＣフレームは、復号化されるときに一度に一フレームずつＭＡＣサブレイヤロジックに送信され得る。
【００７７】
ＰＨＹロジックからショートフレームを受信した後、ＭＡＣサブレイヤは、ショートフレームからフィールド値を構文解析して解釈し得る。例えば、最初のフィールドはフレーム制御フィールドであるとすることができ、最初のサブフィールドはプロトコルバージョンサブフィールドであるとすることができる。ＭＡＣサブレイヤロジックは、プロトコルバージョンサブフィールドの値をＭＡＣサブレイヤロジックによってサポートされる１つ以上のプロトコルバージョンと比較することにより、そのプロトコルバージョンがＭＡＣサブレイヤロジックのソフトウェア又はファームウェアと互換性を有する場合、メモリにアクセスしてショートフレームのフレーム構造を決定し得る。
【００７８】
プロトコルバージョンサブフィールドを構文解析して解釈した後
ＭＡＣサブレイヤロジックは、タイプサブフィールドを構文解析して解釈し、ショートフレームのタイプを決定し得る（要素３６０）。ＭＡＣサブレイヤロジックは、当該ＭＡＣサブレイヤロジックにとってアクセス可能なメモリ内に格納され得るものであるショートフレームフォーマット内のフィールド値を用いてフレームのビット群を識別することによって、ショートフレームを構文解析し得る。タイプサブフィールドの値を取り出すと、ＭＡＣサブレイヤロジックは、その値をタイプサブフィールドの既知の値と比較することによって、その値を解釈してショートフレームタイプを特定し得る。
【００７９】
タイプサブフィールドを解釈した後、ＭＡＣサブレイヤロジックは、更なる処理のためにショートフレームフォーマットを更に具体的に認識することになり、ＭＡＣサブレイヤロジックは、ショートフレームの構文解析及び解釈を同様にして続け得る。例えば、ＭＡＣサブレイヤロジックは、ＡＣＫポリシーサブフィールドを構文解析して解釈し、ショートフレームの受信を受けて使用する適切なＡＣＫポリシーを決定し得る（要素３６５）。多くの実施形態は３つ以上のＡＣＫポリシーを有し、他の実施形態は３つ以下の異なるポリシーを有し得る。さらに、ＭＡＣサブレイヤロジックは、ショートフレーム内のフィールド及びサブフィールドの残りの部分の構文解析及び解釈を続け得る（要素３７０）。
【００８０】
図４Ａ−４Ｂは、図１Ａ−１Ｂに示したショートフレームのようなＡＣＫポリシーを信号伝達するためのＡＣＫポリシーフィールドを有するショートフレームを用いた通信を、送信し、受信し、そして解釈することのフローチャート４００及び４５０の実施形態を示している。図４Ａを参照するに、フローチャート４００は、フレーム構築部からフレームを受信することで開始し得る。通信装置のＭＡＣサブレイヤロジックが、そのフレームを管理フレームとして生成してアクセスポイントに送信し、また、そのフレームをＭＡＣプロトコルデータユニット（ＭＰＤＵ）として、アクセスポイントに送信されることが可能なパケットへとデータを変換するデータユニット構築部に渡し得る。データユニット構築部は、プリアンブルを生成してＰＨＹサービスデータユニット（ＰＳＤＵ）（フレーム構築部からのＭＰＤＵ）の先頭に追加（プリペンド）することで、送信用のＰＨＹプロトコルデータユニット（ＰＰＤＵ）を形成し得る（要素４０５）。一部の実施形態において、１つのＰＰＤＵ内で２つ以上のＭＰＤＵがプリペンドされ得る。そのような実施形態は、特定のＭＰＤＵ又は全てのＭＰＤＵがショートフレームを有するかを指し示すビットを含み得る。
【００８１】
ＰＰＤＵはその後に、例えば図２の送信器２０６又は図１のトランシーバ１０２０、１０４０などの物理層装置に送信されることができ、故に、ＰＰＤＵは通信信号に変換され得る（要素４１０）。そして、送信器がアンテナを介して通信信号を送信し得る（要素４１５）。
【００８２】
図４Ｂを参照するに、フローチャート４５０は、例えば図２の受信器２０４などのアクセスポイントの受信器が、例えばアンテナアレイ２１８のアンテナ素子などの１つ以上のアンテナを介して、通信信号を受信することで開始する（要素４５５）。受信器は、プリアンブルに記述されるプロセスに従って、通信信号をＭＰＤＵへと変換し得る（要素４６０）。より具体的には、受信信号が、上記１つ以上のアンテナから、例えばＤＢＦ２２０などのＤＢＦに送られる。ＤＢＦが、受信信号を、その受信器の方に向けられた指向性の送信として処理する。ＤＢＦの出力が、例えばＯＦＤＭ２２２などのＯＦＤＭに送られる。ＯＦＤＭが、情報担持信号が上に変調された複数のサブキャリアから、信号情報を抽出する。その後、例えば復調器２２４などの復調器が、例えばＢＰＳＫ、１６−ＱＡＭ、６４−ＱＡＭ、２５６−ＱＡＭ、ＱＰＳＫ、又はＳＱＰＳＫにより、信号情報を復調する。そして、例えばデコーダ２２６などのデコーダが、例えばＢＣＣ又はＬＤＰＣにより、復調器からの信号情報を復号化してＭＰＤＵを抽出し（要素４６０）、例えばＭＡＣサブレイヤロジック２０２などのＭＡＣサブレイヤロジックにＭＰＤＵを送信する（要素４６５）。ＰＨＹロジックはまた、ＭＡＣサブレイヤロジックと通信して、ＭＰＤＵがショートフレームを有することを指し示し得る。
【００８３】
ＭＡＣサブレイヤロジックは、例えば図１Ａ−１Ｂのショートフレーム１０６０のフィールド及びフレーム制御フィールド１１００のサブフィールドなどの、ショートフレームフィールド値をＭＰＤＵから決定し得る（要素４７０）。例えば、ＭＡＣサブレイヤロジックは、例えばショートフレームのＡＣＫポリシーフィールド値などのショートフレームフィールド値を決定し得る。
【００８４】
以下の例は更なる実施形態に関する。一例は装置を有する。この装置は、フレーム制御フィールドを有するショートフレームを生成するメディアアクセス制御ロジックであり、フレーム制御フィールドは、ショートフレームのタイプを記述する２ビットを有するタイプサブフィールドであり、タイプサブフィールドの値は、管理フレームを指し示す値を有する、タイプサブフィールドと、アクナリッジメントポリシーを記述する２ビットを有するアクナリッジメントポリシーサブフィールドとを有する、メディアアクセス制御ロジックと、フレームの先頭にプリアンブルを追加し且つフレームを送信する物理層ロジックとを有し得る。
【００８５】
一部の実施形態において、装置は更に、物理層ロジックと、プリアンブルを先頭に追加されたショートフレームを送信するアンテナアレイと、に結合された無線器を有し得る。一部の実施形態において、メディアアクセス制御ロジックは、ＩＥＥＥ８０２．１１ａｈに従ったショートメディアアクセス制御フレームに関して規定された構造を有するメディアアクセス制御ヘッダを有するショートフレームを生成するロジックを有する。一部の実施形態において、メディアアクセス制御ロジックは、ショートフレームを生成するロジックを有し、フレーム制御フィールドは更に、管理タイプのショートフレームのサブタイプを特定するトラフィック識別子サブフィールドを有する。一部の実施形態において、メディアアクセス制御ロジックは、少なくとも３つの異なるアクナリッジメントポリシーを指し示すことが可能なアクナリッジメントポリシーサブフィールドを有するショートフレームを生成するロジックを有する。
【００８６】
他の一実施形態は、少なくとも１つのコンピュータプロセッサによって実行されるときに該１つ以上のコンピュータプロセッサが方法を実行することを可能にするよう作用するコンピュータ実行可能命令を有する１つ以上の有形のコンピュータ読み取り可能な非一時的記憶媒体を有する。この方法は、フレーム制御フィールドを有するショートフレームを生成することを有することができ、フレーム制御フィールドは、ショートフレームのタイプを記述する２ビットを有するタイプサブフィールドであり、タイプサブフィールドの値は、管理フレームを指し示す値を有する、タイプサブフィールドと、アクナリッジメントポリシーを記述する２ビットを有するアクナリッジメントポリシーサブフィールドとを有する。
【００８７】
一部の実施形態において、ショートフレームを生成することは、ＩＥＥＥ８０２．１１ａｈに従ったショートメディアアクセス制御フレームに関して規定された構造を有するメディアアクセス制御ヘッダを有するショートフレームを生成することを有する。一部の実施形態において、ショートフレームを生成することは、管理タイプのショートフレームのサブタイプを特定するトラフィック識別子サブフィールドを、フレーム制御フィールド内に生成することを有する。一部の実施形態において、ショートフレームを生成することは、少なくとも３つの異なるアクナリッジメントポリシーを指し示すことが可能なアクナリッジメントポリシーサブフィールドを有するショートフレームを生成することを有する。
【００８８】
他の一実施形態は、パケットを送信する方法を有する。この方法は、フレーム制御フィールドを有するショートフレームを生成することであり、フレーム制御フィールドは、ショートフレームのタイプを記述する２ビットを有するタイプサブフィールドであり、タイプサブフィールドの値は、管理フレームを指し示す値を有する、タイプサブフィールドと、アクナリッジメントポリシーを記述する２ビットを有するアクナリッジメントポリシーサブフィールドとを有する、ショートフレームを生成することと、ショートフレームを送信することとを有し得る。
【００８９】
一部の実施形態において、ショートフレームを生成することは、ＩＥＥＥ８０２．１１ａｈに従ったショートメディアアクセス制御フレームに関して規定された構造を有するメディアアクセス制御ヘッダを有するショートフレームを生成することを有する。一部の実施形態において、ショートフレームを生成することは、管理タイプのショートフレームのサブタイプを特定するトラフィック識別子サブフィールドを、フレーム制御フィールド内に生成することを有する。一部の実施形態において、ショートフレームを生成することは、少なくとも３つの異なるアクナリッジメントポリシーを指し示すことが可能なアクナリッジメントポリシーサブフィールドを有するショートフレームを生成することを有する。
【００９０】
他の一実施形態は、パケットを送信するシステムを有する。このシステムは、プロセッサと、該プロセッサと結合されたメモリと、フレーム制御フィールドを有するショートフレームを生成するメディアアクセス制御ロジックであり、フレーム制御フィールドは、ショートフレームのタイプを記述する２ビットを有するタイプサブフィールドであり、タイプサブフィールドの値は、管理フレームを指し示す値を有する、タイプサブフィールドと、アクナリッジメントポリシーを記述する２ビットを有するアクナリッジメントポリシーサブフィールドとを有する、メディアアクセス制御ロジックと、メディアアクセス制御ロジックと結合された無線器と、該無線器と結合されてフレームを送信する１つ以上のアンテナとを有し得る。
【００９１】
一部の実施形態において、メディアアクセス制御ロジックは、ＩＥＥＥ８０２．１１ａｈに従ったショートメディアアクセス制御フレームに関して規定された構造を有するメディアアクセス制御ヘッダを有するショートフレームを生成するロジックを有する。一部の実施形態において、メディアアクセス制御ロジックは、ショートフレームを生成するロジックを有し、フレーム制御フィールドは更に、管理タイプのショートフレームのサブタイプを特定するトラフィック識別子サブフィールドを有する。一部の実施形態において、メディアアクセス制御ロジックは、少なくとも３つの異なるアクナリッジメントポリシーを指し示すことが可能なアクナリッジメントポリシーサブフィールドを有するショートフレームを生成するロジックを有する。
【００９２】
他の一実施形態は、パケットを解釈する装置を有する。この装置は、メモリと、該メモリと結合されたロジックであり、フレーム制御フィールドを有するショートフレームを解釈し、ここで、フレーム制御フィールドは、ショートフレームのタイプを記述する２ビットを有するタイプサブフィールドと、アクナリッジメントポリシーを記述する２ビットを有するアクナリッジメントポリシーサブフィールドとを有し、ショートフレームのタイプサブフィールド内の値が管理フレームを指し示すことを決定し、且つアクナリッジメントポリシーサブフィールド内の値がアクナリッジメントポリシーのうちの１つを指し示すことを決定するロジックとを有し得る。
【００９３】
一部の実施形態において、上記ロジックは、ＩＥＥＥ８０２．１１ａｈに従ったショートメディアアクセス制御フレームに関して規定された構造を有するメディアアクセス制御ヘッダを有するショートフレームを解釈するロジックを有する。一部の実施形態において、上記ロジックは、ショートフレームを解釈するロジックを有し、フレーム制御フィールドは更に、管理タイプのショートフレームのサブタイプを特定するトラフィック識別子サブフィールドを有する。一部の実施形態において、上記ロジックは、少なくとも３つの異なるアクナリッジメントポリシーを指し示すことが可能なアクナリッジメントポリシーサブフィールドを有するショートフレームを解釈するロジックを有する。
【００９４】
他の一実施形態は、少なくとも１つのコンピュータプロセッサによって実行されるときに該１つ以上のコンピュータプロセッサが方法を実行することを可能にするよう作用するコンピュータ実行可能命令を有する１つ以上の有形のコンピュータ読み取り可能な非一時的記憶媒体を有する。この方法は、フレーム制御フィールドを有するショートフレームを解釈することを有し、フレーム制御フィールドは、ショートフレームのタイプを記述する２ビットを有するタイプサブフィールドと、アクナリッジメントポリシーを記述する２ビットを有するアクナリッジメントポリシーサブフィールドとを有し、ショートフレームを解釈することは、タイプサブフィールドを解釈して、ショートフレームのタイプの値が管理フレームを指し示すことを決定することと、アクナリッジメントポリシーサブフィールドを解釈して、値がアクナリッジメントポリシーのうちの１つを指し示すことを決定することとを有し得る。
【００９５】
一部の実施形態において、ショートフレームを解釈することは、ＩＥＥＥ８０２．１１ａｈに従ったショートメディアアクセス制御フレームに関して規定された構造を有するメディアアクセス制御ヘッダを有するショートフレームを解釈することを有する。一部の実施形態において、ショートフレームを解釈することは、トラフィック識別子サブフィールドを解釈して、管理タイプのショートフレームのサブタイプを特定することを有する。一部の実施形態において、ショートフレームを解釈することは、アクナリッジメントポリシーサブフィールドを解釈して、アクナリッジメントポリシーサブフィールド内の値に基づいて、少なくとも３つの異なるアクナリッジメントポリシーのうちの１つのアクナリッジメントポリシーを特定することを有する。
【００９６】
他の一実施形態は、パケットを解釈するシステムを有する。このシステムは、プロセッサと、該プロセッサと結合されたメモリと、該メモリと結合されたロジックであり、フレーム制御フィールドを有するショートフレームを解釈し、ここで、フレーム制御フィールドは、ショートフレームのタイプを記述する２ビットを有するタイプサブフィールドと、アクナリッジメントポリシーを記述する２ビットを有するアクナリッジメントポリシーサブフィールドとを有し、ショートフレームのタイプサブフィールド内の値が管理フレームを指し示すことを決定し、且つアクナリッジメントポリシーサブフィールド内の値がアクナリッジメントポリシーのうちの１つを指し示すことを決定するロジックと、該ロジックと結合された無線器と、該無線器と結合されてフレームを送信する１つ以上のアンテナとを有し得る。
【００９７】
一部の実施形態において、上記ロジックは、ＩＥＥＥ８０２．１１ａｈに従ったショートメディアアクセス制御フレームに関して規定された構造を有するメディアアクセス制御ヘッダを有するショートフレームを解釈するロジックを有する。一部の実施形態において、上記ロジックは、ショートフレームを解釈するロジックを有し、フレーム制御フィールドは更に、管理タイプのショートフレームのサブタイプを特定するトラフィック識別子サブフィールドを有する。一部の実施形態において、上記ロジックは、少なくとも３つの異なるアクナリッジメントポリシーを指し示すことが可能なアクナリッジメントポリシーサブフィールドを有するショートフレームを解釈するロジックを有する。
【００９８】
他の一実施形態は、パケットを解釈する方法を有する。この方法は、局により、ショートフレームを有するパケットを受信し、ここで、ショートフレームはフレーム制御フィールドを有し、フレーム制御フィールドは、ショートフレームのタイプを記述する２ビットを有するタイプサブフィールドであり、タイプサブフィールドの値は、管理フレームを指し示す値を有する、タイプサブフィールドと、アクナリッジメントポリシーを記述する２ビットを有するアクナリッジメントポリシーサブフィールドとを有し、上記局により、ショートフレームを解釈し、ショートフレームを解釈することは、タイプサブフィールドを解釈して、ショートフレームのタイプの値が管理フレームを指し示すことを決定することを有し、且つ、上記局により、アクナリッジメントポリシーサブフィールドを解釈して、アクナリッジメントポリシーのうちの１つを指し示す値を決定することを有し得る。
【００９９】
一部の実施形態において、ショートフレームを解釈することは、ＩＥＥＥ８０２．１１ａｈに従ったショートメディアアクセス制御フレームに関して規定された構造を有するメディアアクセス制御ヘッダを有するショートフレームを解釈することを有する。一部の実施形態において、ショートフレームを解釈することは、トラフィック識別子サブフィールドを解釈して、管理タイプのショートフレームのサブタイプを特定することを有する。一部の実施形態において、ショートフレームを解釈することは、アクナリッジメントポリシーサブフィールドを解釈して、アクナリッジメントポリシーサブフィールド内の値に基づいて、少なくとも３つの異なるアクナリッジメントポリシーのうちの１つのアクナリッジメントポリシーを特定することを有する。
【０１００】
他の一実施形態は、パケットを送信する装置を有する。この装置は、フレーム制御フィールドを有するショートフレームを生成する手段であり、フレーム制御フィールドは、ショートフレームのタイプを記述する２ビットを有するタイプサブフィールドであり、タイプサブフィールドの値は、管理フレームを指し示す値を有する、タイプサブフィールドと、アクナリッジメントポリシーを記述する２ビットを有するアクナリッジメントポリシーサブフィールドとを有する、生成する手段と、ショートフレームを送信する手段とを有し得る。
【０１０１】
一部の実施形態において、ショートフレームを生成する手段は、ＩＥＥＥ８０２．１１ａｈに従ったショートメディアアクセス制御フレームに関して規定された構造を有するメディアアクセス制御ヘッダを有するショートフレームを生成する手段を有する。一部の実施形態において、ショートフレームを生成する手段は、管理タイプのショートフレームのサブタイプを特定するトラフィック識別子サブフィールドを、フレーム制御フィールド内に生成する手段を有する。一部の実施形態において、ショートフレームを生成する手段は、少なくとも３つの異なるアクナリッジメントポリシーを指し示すことが可能なアクナリッジメントポリシーサブフィールドを有するショートフレームを生成する手段を有する。
【０１０２】
他の一実施形態は、パケットを解釈する装置を有する。この装置は、ショートフレームを有するパケットを受信する手段であり、ショートフレームはフレーム制御フィールドを有し、フレーム制御フィールドは、ショートフレームのタイプを記述する２ビットを有するタイプサブフィールドであり、タイプサブフィールドの値は、管理フレームを指し示す値を有する、タイプサブフィールドと、アクナリッジメントポリシーを記述する２ビットを有するアクナリッジメントポリシーサブフィールドとを有する、受信する手段と、ショートフレームを解釈する手段であり、ショートフレームを解釈することは、タイプサブフィールドを解釈して、ショートフレームのタイプの値が管理フレームを指し示すことを決定することと、アクナリッジメントポリシーサブフィールドを解釈して、アクナリッジメントポリシーのうちの１つを指し示す値を決定することとを有する、ショートフレームを解釈する手段とを有し得る。
【０１０３】
一部の実施形態において、ショートフレームを解釈する手段は、ＩＥＥＥ８０２．１１ａｈに従ったショートメディアアクセス制御フレームに関して規定された構造を有するメディアアクセス制御ヘッダを有するショートフレームを解釈する手段を有する。一部の実施形態において、ショートフレームを解釈する手段は、トラフィック識別子サブフィールドを解釈して、管理タイプのショートフレームのサブタイプを特定する手段を有する。一部の実施形態において、ショートフレームを解釈する手段は、アクナリッジメントポリシーサブフィールドを解釈して、アクナリッジメントポリシーサブフィールド内の値に基づいて、少なくとも３つの異なるアクナリッジメントポリシーのうちの１つのアクナリッジメントポリシーを特定する手段を有する。
【０１０４】
一部の実施形態において、以上及び請求項に記載の機構の一部又は全てが一実施形態にて実装され得る。例えば、選択的な機構は、何れの選択肢を使用するか決定するロジック又は選択可能プリファランスとともに、一実施形態における選択肢として実装され得る。相互排他的ではない複数の機構を有する一部の実施形態も、それらの機構のうちの１つ以上をアクティブ又は非アクティブにするロジック又は選択可能プリファランスを含み得る。例えば、一部の機構は、製造時に、回路経路又はトランジスタを含めるか除去するかによって選択され得る。更なる機構は、配備時又は配備後に、ロジック又は例えばディップスイッチ若しくはそれに類するものなどの選択可能プリファレンスを介して選択され得る。ユーザは後にもなお、例えばソフトウェアプリファランス、ｅ−ヒューズ、又はこれらに類するものにより、更なる機構を選択し得る。
【０１０５】
数多くの実施形態は、１つ以上の有利な効果を有し得る。例えば、一部の実施形態は、標準ＭＡＣヘッダサイズに対して縮小されたＭＡＣヘッダサイズを提供し得る。更なる実施形態は、例えば、より効率的な伝送のための、より小さいパケットサイズ、通信の送信器側及び受信器側の双方での、より小さいデータトラフィックによる、より低い電力消費、より低いトラフィック衝突、パケットの送信または受信を待つ上での、より小さいレイテンシ、及びこれらに類するものなどの、１つ以上の有利な効果を含み得る。
【０１０６】
他の一実施形態は、図１−４を参照して説明したシステム及び方法を実装するためのプログラムプロダクトとして実装される。一部の実施形態は、全体としてハードウェアの実施形態、全体としてソフトウェアの実施形態、又はハードウェア及びソフトウェアの双方の要素を含む実施形態の形態を取ることができる。一実施形態は、以下に限られないが、ファームウェア、常駐ソフトウェア、マイクロコードなどを含むソフトウェアにて実装される。また、実施形態は、コンピュータ又は何らかの命令実行システムによって使用されるか、それとともに使用されるかの、プログラムコードを提供するコンピュータ使用可能媒体又はコンピュータ読み取り可能媒体からアクセス可能な、コンピュータプログラムプロダクトの形態を取ることができる。ここでの説明の目的で、コンピュータ使用可能媒体又はコンピュータ読み取り可能媒体は、命令を実行するシステム、機器又は装置によって使用されるか、それとともに使用されるかの、プログラムを包含、格納、通信、伝播あるいは輸送することは可能な如何なる装置ともし得る。
【０１０７】
媒体は、電子、磁気、光、電磁、赤外線、又は半導体のシステム（又は機器若しくは装置）とし得る。コンピュータ読み取り可能媒体の例は、半導体メモリ若しくはソリッドステートメモリ、磁気テープ、取り外し可能なコンピュータディスク、ランダムアクセスメモリ（ＲＡＭ）、読み出し専用メモリ（ＲＯＭ）、剛性の磁気ディスク、及び光ディスクを含む。光ディスクの今現在での例は、コンパクトディスク−読み出し専用メモリ（ＣＤ−ＲＯＭ）、書換可能コンパクトディスク（ＣＤ−Ｒ／Ｗ）、及びＤＶＤを含む。
【０１０８】
プログラムコードの格納及び／又は実行を行うのに好適なデータ処理システムは、システムバスを介してメモリ素子に直接的あるいは間接的に結合された少なくとも１つのプロセッサを含む。メモリ素子は、プログラムコードの実際の実行中に使用されるローカルメモリと、大容量ストレージと、実行中にコードを大容量ストレージから取り出さなければならない回数を削減するために少なくとも一部のプログラムコードの一時的な記憶を提供するキャッシュメモリとを含むことができる。
【０１０９】
上述のロジックは、集積回路チップの設計の部分とし得る。チップ設計は、グラフィカルコンピュータプログラミング言語にて作成されて、コンピュータ記憶媒体（例えば、ディスク、テープ、物理的なハードドライブ、又はストレージアクセスネットワーク内などの仮想的なハードドライブなど）に格納される。設計者が、チップ、又はチップを製造するのに使用されるフォトリソグラフマスクを製造しない場合、設計者は、直接的あるいは間接的に、そのようなエンティティに、得られた設計を物理的手段によって（例えば、設計を格納する記憶媒体のコピーを提供することによって）、あるいは電子的に（例えば、インターネットを介して）送信する。そして、格納された設計が、製造に適切なフォーマット（例えば、ＧＤＳＩＩ）に変換される。
【０１１０】
得られた集積回路チップは、製造者により、ロー（生）ウエハーの形態で（すなわち、パッケージ化されていない複数のチップを有する単一のウエハーとして）、ベアダイとして、あるいはパッケージ化された形態で流通されることができる。後者の場合、チップはシングルチップパッケージ（例えば、マザーボード又はその他のハイレベルキャリアに取り付けられるリードを有するプラスチックキャリアなど）又はマルチチップパッケージ（例えば、表面相互接続又は埋め込み相互接続の何れか又は双方を有するセラミックキャリアなど）にマウントされる。何れの場合も、チップは、（ａ）例えばマザーボードなどの中間製品、又は（ｂ）最終製品の何れかの部分として、その他のチップ、ディスクリート回路素子、及び／又はその他の信号処理デバイスと集積される。
【図１】
2015528229.tif 000003
【図１Ａ】
2015528229.tif 000004
【図１Ｂ】
2015528229.tif 000005
【図２】
2015528229.tif 000006
【図３Ａ】
2015528229.tif 000007
【図３Ｂ】
2015528229.tif 000008
【図４Ａ】
2015528229.tif 000009
【図４Ｂ】
2015528229.tif 000010
【国際調査報告】
2015528229.tif 000011
2015528229.tif 000012